(57)【要約】【課題】複数の用紙サイズが混在したジョブを画像形成装置が受け付けた場合でも、ステイプルなどの後処理が適正に施された出力結果を得ること。【解決手段】大サイズのシートと小サイズのシートとを含むサイズの異なるシートが混在するシート束のためのステイプル動作が指定されたジョブに基づきプリンタ部２により画像形成されたシート束が、前記大サイズのシートの短辺の長さと前記小サイズのシートの長辺の長さがシートの搬送方向と直交する方向で一致し、かつ、前記シート束がステイプル後に広げられた時に前記シート束に含まれる各シート上に形成された各画像が全て同じ向きとなるように画像形成された場合に、前記シート束のためのステイプル動作をステイプラにより実行させる構成を特徴とする。【選択図】図１
2006209141.tif 000002
【特許請求の範囲】
【請求項１】
画像形成されたシートに対するステイプル動作を実行可能なステイプル手段によりステイプルすべきシートを供給可能な画像形成装置を具備する画像形成システムの制御方法であって、
大サイズのシートと小サイズのシートとを含むサイズの異なるシートが混在するシート束のためのステイプル動作を指定させ、
前記大サイズのシートの短辺の長さと前記小サイズのシートの長辺の長さがシートの搬送方向と直交する方向で一致する場合で、かつ、前記シート束がステイプル後に広げられた時に前記シート束に含まれる各シート上に形成された各画像が全て同じ向きとなる場合に、前記シート束のためのステイプル動作を前記ステイプル手段により実行させることを特徴とする制御方法。
【請求項２】
画像形成されたシートに対するステイプル動作を実行可能なステイプル手段によりステイプルすべきシートを供給可能な画像形成装置を具備する画像形成システムの制御方法であって、
大サイズのシートと小サイズのシートとを含むサイズの異なるシートが混在するシート束に対するステイプル動作を指定させ、
ポートレート画像を形成する前記大サイズのシートの短辺の長さとランドスケープ画像を形成する前記小サイズのシートの長辺の長さがシートの搬送方向と直交する方向で一致する場合で、かつ、前記シート束に対して画像の方向を基準に上端綴じが指定された場合に、前記シート束のためのステイプル動作を前記ステイプル手段により実行させることを特徴とする制御方法。
【請求項３】
画像形成されたシートに対するステイプル動作を実行可能なステイプル手段によりステイプルすべきシートを供給可能な画像形成装置を具備する画像形成システムの制御方法であって、
大サイズのシートと小サイズのシートとを含むサイズの異なるシートが混在するシート束に対するステイプル動作を指定させ、
ランドスケープ画像を形成する前記大サイズのシートの短辺の長さとポートレート画像を形成する前記小サイズのシートの長辺の長さがシートの搬送方向と直交する方向で一致する場合で、かつ、前記シート束に対して画像の方向を基準に左端綴じが指定された場合に、前記シート束のためのステイプル動作を前記ステイプル手段により実行させることを特徴とする制御方法。
【請求項４】
画像データと印刷条件に応じてシートに画像形成するように構成された画像形成装置の制御方法であって、
異なった向きのシートに画像形成しステイプルさせるために、画像形成に用いる複数のシートを選択的に供給させ、
前記複数のシートを排出させ、
排出された前記複数のシートをステイプルさせる、
ことを特徴とする制御方法。
【請求項５】
画像データと印刷条件に応じてシートに画像形成するように構成された画像形成装置の制御方法であって、
異なった向きのシートに画像形成し後処理を実行させるために、画像形成に用いる複数のシートを選択的に供給させ、
前記複数のシートを排出させ、
排出された前記複数のシートに後処理を実行させる、
ことを特徴とする制御方法。
【請求項６】
画像形成されたシートのためにステイプル動作を実行可能な画像形成装置であって、
前記画像形成装置の制御手段は、
大サイズのシートと小サイズのシートとを含むサイズの異なるシートが混在するシート束のためのステイプル動作を指定させ、
前記大サイズのシートの短辺の長さと前記小サイズのシートの長辺の長さがシートの搬送方向と直交する方向で一致する場合で、かつ、ステイプル後に広げられた時に前記シート束に含まれる各シート上に形成された各画像が全て同じ向きとなる場合に、前記シート束のための前記ステイプル動作を実行させることを特徴とする画像形成装置。
【請求項７】
画像形成されたシートのためにステイプル動作を実行可能な画像形成装置であって、
前記画像形成装置の制御手段は、
大サイズのシートと小サイズのシートとを含むサイズの異なるシートが混在するシート束のためのステイプル動作を指定させ、
ポートレート画像を形成する前記大サイズのシートの短辺の長さとランドスケープ画像を形成する前記小サイズのシートの長辺の長さがシートの搬送方向と直交する方向で一致する場合で、かつ、前記シート束に対して画像の方向を基準に上端綴じが指定された場合に、前記シート束のための前記ステイプル動作を実行させことを特徴とする画像形成装置。
【請求項８】
画像形成されたシートのためにステイプル動作を実行可能な画像形成装置であって、
前記画像形成装置の制御手段は、
大サイズのシートと小サイズのシートとを含むサイズの異なるシートが混在するシート束に対するステイプル動作を指定させ、
ランドスケープ画像を形成する前記大サイズのシートの短辺の長さとポートレート画像を形成する前記小サイズのシートの長辺の長さがシートの搬送方向と直交する方向で一致する場合で、かつ、前記シート束に対して画像の方向を基準に左端綴じが指定された場合に、前記シート束のための前記ステイプル動作を実行させることを特徴とする画像形成装置。
【請求項９】
画像データと印刷条件に応じてシートに画像形成するように構成された画像形成手段を有する画像形成装置であって、
前記画像形成手段に、複数のシートを供給するシート供給手段と、
前記画像形成手段から前記複数のシートを排出するように構成された、シート排出手段と、
前記複数のシートをステイプルするように構成されたステイプル手段と、
異なった向きのシートに画像形成しステイプルするために、前記用紙供給手段から選択的にページを供給し制御するように構成された制御手段と、
を有することを特徴とする画像形成装置。
【請求項１０】
画像データと印刷条件に応じてシートに画像形成するように構成された画像形成手段を有する画像形成装置であって、
前記画像形成手段に、複数のシートを供給するシート供給手段と、
前記画像形成手段から前記複数のシートを排出するように構成されたシート排出手段と、
前記複数のシートに後処理を実行するように構成された後処理手段と、
異なった向きのシートに画像形成し後処理を実行するために、前記用紙供給手段から選択的にページを供給し制御するように構成された制御手段と、
を有することを特徴とする画像形成装置。
【請求項１１】
第１のサイズのシートに第１の画像と第２の画像とを形成させる場合に、前記第１のサイズのシートにおける前記第１の画像の形成面の左端を軸としてシートをめくった時に前記第２の画像が正立する向きで前記第２の画像を前記第１のサイズのシートに形成可能で、
且つ、前記第１のサイズのシートより大きい第２のサイズのシートに第３の画像と第４の画像とを形成させる場合に、前記第２のサイズのシートにおける前記第３の画像の形成面の上端を軸としてシートをめくった時に前記第４の画像が正立する向きで前記第４の画像を前記第２のサイズのシートに形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートに前記第１の画像を形成可能で、且つ、前記第１のサイズのシートにおける前記第１の画像の形成面の左端を軸としてシートをめくった時に前記第２の画像が正立する向きで前記第２の画像を前記第１のサイズのシートに形成させ、
前記第２のサイズのシートに前記第３の画像を形成可能で、前記第２のサイズのシートにおける前記第３の画像の形成面の上端を軸としてシートをめくった時に前記第４の画像が正立する向きで前記第４の画像を前記第２のサイズのシートに形成させることなく、前記第２のサイズのシートにおける前記第３の画像の形成面の左端を軸としてシートをめくった時に前記第４の画像が正立する向きで前記第４の画像を前記第２のサイズのシートに形成させることを特徴とする制御方法。
【請求項１２】
第１のサイズのシートに第１の画像と第２の画像とを形成させる場合に、前記第１のサイズのシートにおける前記第１の画像の形成面の上端を軸としてシートをめくった時に前記第２の画像が正立する向きで前記第２の画像を前記第１のサイズのシートに形成可能で、
且つ、前記第１のサイズのシートより大きい第２のサイズのシートに第３の画像と第４の画像とを形成させる場合に、前記第２のサイズのシートにおける前記第３の画像の形成面の左端を軸としてシートをめくった時に前記第４の画像が正立する向きで前記第４の画像を前記第２のサイズのシートに形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートにおける前記第１の画像の形成面の上端を軸としてシートをめくった時に前記第２の画像が正立する向きで前記第２の画像を前記第１のサイズのシートに形成させ、
前記第２のサイズのシートにおける前記第３の画像の形成面の左端を軸としてシートをめくった時に前記第４の画像が正立する向きで前記第４の画像を前記第２のサイズのシートに形成させることなく、前記第２のサイズのシートにおける前記第３の画像の形成面の上端を軸としてシートをめくった時に前記第４の画像が正立する向きで前記第４の画像を前記第２のサイズのシートに形成させることを特徴とする制御方法。
【請求項１３】
第１のサイズのシートに第１の画像と第２の画像とを形成させる場合に、前記第１のサイズのシートにおける前記第１の画像の形成面の上端を軸としてシートをめくった時に前記第２の画像が正立する向きで前記第２の画像を前記第１のサイズのシートに形成可能で、
且つ、前記第１のサイズのシートより大きい第２のサイズのシートに第３の画像と第４の画像とを形成させる場合に、前記第２のサイズのシートにおける前記第３の画像の形成面の左端を軸としてシートをめくった時に前記第４の画像が正立する向きで前記第４の画像を前記第２のサイズのシートに形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートに前記第１の画像を形成させ、前記第１のサイズのシートにおける前記第１の画像の形成面の上端を軸としてシートをめくった時に前記第２の画像が正立する向きで前記第２の画像を前記第１のサイズのシートに形成させることなく、前記第１のサイズのシートにおける前記第１の画像の形成面の左端を軸としてシートをめくった時に前記第２の画像が正立する向きで前記第２の画像を前記第１のサイズのシートに形成させ、
前記第２のサイズのシートにおける前記第３の画像の形成面の左端を軸としてシートをめくった時に前記第４の画像が正立する向きで前記第４の画像を前記第２のサイズのシートに形成させることを特徴とする制御方法。
【請求項１４】
第１のサイズのシートに第１の画像と第２の画像とを形成させる場合に、前記第１のサイズのシートにおける前記第１の画像の形成面の左端を軸としてシートをめくった時に前記第２の画像が正立する向きで前記第２の画像を前記第１のサイズのシートに形成可能で、
且つ、前記第１のサイズのシートより大きい第２のサイズのシートに第３の画像と第４の画像とを形成させる場合に、前記第２のサイズのシートにおける前記第３の画像の形成面の上端を軸としてシートをめくった時に前記第４の画像が正立する向きで前記第４の画像を前記第２のサイズのシートに形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートにおける前記第１の画像の形成面の左端を軸としてシートをめくった時に前記第２の画像が正立する向きで前記第２の画像を前記第１のサイズのシートに形成させることなく、前記第１のサイズのシートにおける前記第１の画像の形成面の上端を軸としてシートをめくった時に前記第２の画像が正立する向きで前記第２の画像を前記第１のサイズのシートに形成させ、
前記第２のサイズのシートにおける前記第３の画像の形成面の上端を軸としてシートをめくった時に前記第４の画像が正立する向きで前記第４の画像を前記第２のサイズのシートに形成させることを特徴とする制御方法。
【請求項１５】
第１のサイズのシートに第１の画像と第２の画像とを形成させる場合に、前記第１のサイズのシートにおける前記第１の画像の形成面の裏面に前記第１の画像と同じ向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートにおける前記第１の画像の形成面の裏面に前記第１の画像と同じ向きで前記第２の画像を前記第１のサイズのシートに形成させ、
前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させることを特徴とする制御方法。
【請求項１６】
第１のサイズのシートに第１の画像と第２の画像とを形成させる場合に、前記第１のサイズのシートにおける前記第１の画像の形成面の裏面に前記第１の画像と逆の向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートにおける前記第１の画像の形成面の裏面に前記第１の画像と逆の向きで前記第２の画像を前記第１のサイズのシートに形成させ、
前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させることを特徴とする制御方法。
【請求項１７】
第１のサイズのシートに第１の画像と第２の画像とを形成させる場合に、前記第１のサイズのシートにおける前記第１の画像の形成面の裏面に前記第１の画像と逆の向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートにおける前記第１の画像の形成面の裏面に前記第１の画像と逆の向きで前記第２の画像を前記第１のサイズのシートに形成させることなく、前記第１のサイズのシートにおける前記第１の画像の形成面の裏面に前記第１の画像と同じ向きで前記第２の画像を前記第１のサイズのシートに形成させ、
前記第２のサイズのシートにおける前記第３の画像の形成面の裏面に前記第３の画像と同じ向きで前記第４の画像を形成させることを特徴とする制御方法。
【請求項１８】
第１のサイズのシートに第１の画像と第２の画像とを形成させる場合に、前記第１のサイズのシートにおける前記第１の画像の形成面の裏面に前記第１の画像と同じ向きで前記第２の画像を形成可能で、
且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置の制御方法であって、
前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、
前記第１のサイズのシートにおける前記第１の画像の形成面の裏面に前記第１の画像と同じ向きで前記第２の画像を前記第１のサイズのシートに形成させることなく、前記第１のサイズのシートにおける前記第１の画像の形成面の裏面に前記第１の画像と逆の向きで前記第２の画像を前記第１のサイズのシートに形成させ、
前記第２のサイズのシートにおける前記第３の画像の形成面の裏面に前記第３の画像と逆の向きで前記第４の画像を形成させることを特徴とする制御方法。
【請求項１９】
前記請求項１１乃至１８のいずれかに記載の制御方法であって、
前記制御方法は、画像形成されたシートに対する綴じ処理を行わせることを特徴とする制御方法。
【請求項２０】
前記請求項１１乃至１９のいずれかに記載の制御方法であって、
前記制御方法は、前記画像形成装置に印刷ジョブを送信可能な外部装置から出力された、前記第１の画像、前記第２の画像、前記第３の画像、及び、前記第４の画像の形成処理を実行させるにあたり前記第１のサイズのシートと前記第２のサイズのシートとの両方のシートを要するジョブを、受け付け可能にさせることを特徴とする制御方法。
【請求項２１】
前記請求項１１乃至２０のいずれかに記載の制御方法であって、
前記制御方法は、前記第１の画像、前記第２の画像、前記第３の画像、及び、前記第４の画像の形成処理を実行させるにあたり前記第１のサイズのシートと前記第２のサイズのシートとの両方のサイズのシートを要するジョブの前記第１の画像、前記第２の画像、前記第３の画像、及び、前記第４の画像のシートにおける画像の向きを揃えるための画像回転処理を、前記画像形成装置により実行させることを特徴とする制御方法。
【請求項２２】
前記請求項１１乃至２１のいずれかに記載の制御方法であって、
前記制御方法は、前記第１の画像、前記第２の画像、前記第３の画像、及び、前記第４の画像の形成処理を実行させるにあたり前記第１のサイズのシートと前記第２のサイズのシートとの両方のサイズのシートを要するジョブの前記第１の画像、前記第２の画像、前記第３の画像、及び、前記第４の画像のシートにおける画像の向きを揃えるための画像回転処理を、前記画像形成装置に送信する印刷ジョブの設定画面を表示可能なコンピュータにより、実行させることを特徴とする制御方法。
【請求項２３】
前記請求項２１又は２２に記載の制御方法であって、
前記制御方法の前記画像回転処理は、前記第１のサイズのシートの長辺と、前記第２のサイズのシートの短辺とが重なり合うように回転する処理であることを特徴とする制御方法。
【請求項２４】
請求項１１乃至２３のいずれかに記載の制御方法であって、
前記制御方法は、読取手段で読み取った原稿の画像形成をさせることが可能である画像形成装置によって、前記画像形成装置に印刷ジョブを送信可能な外部装置から出力された、前記第１の画像、前記第２の画像、前記第３の画像、及び、前記第４の画像の形成処理を実行させるにあたり前記第１のサイズのシートと前記第２のサイズのシートとの両方のシートを要するジョブを、受け付け可能にすることを特徴とする制御方法。
【請求項２５】
前記請求項１乃至５、及び、前記請求項１１乃至２４のいずれかに記載の制御方法を実行させるための制御手段を具備することを特徴とする画像形成装置。
【請求項２６】
前記請求項１乃至５、及び、前記請求項１１乃至２４のいずれかに記載の制御方法をコンピュータにより実行させるためのプログラムを記録したコンピュータ読み出し可能な記録媒体。
【発明の詳細な説明】
【技術分野】
【０００１】
本発明は、画像情報に対して両面印字を指定して、搬送される記録媒体に両面画像形成を行う画像形成装置およびその制御方法に関するものである。
【背景技術】
【０００２】
従来、この種類の画像形成装置として、ソート処理，ステイプル処理等のフィニッシング動作の可能なものが提案されており、すでに市販されているものもある。そして、それらの画像形成装置でコンピュータから印字を行う場合、コンピュータの画面上で、フィニッシング機能（ソート機能，ステイプル機能等）や長辺綴じ両面モード（後述する図１４の（ａ）に示す）、または短辺綴じ両面モード（後述する図１４の（ｂ）に示す）等の両面モードを指定して両面出力を行うことが可能であった。
【０００３】
以下、図１４〜図１６を参照して、各両面モード，描画方向，用紙の搬送方向について説明する。
【０００４】
図１４は、各両面モードと画像形成方向との関係を示す模式図であり、（ａ）は長辺綴じ両面モードに対応し、（ｂ）は短辺綴じ両面モードに対応する。
【０００５】
（ａ）に示す長辺綴じ（ロングエッジバインド）両面モードでは、用紙を立てた状態で表裏の画像方向が同一の方向となるように両面印字を行う。
【０００６】
また、（ｂ）に示す短辺綴じ（ショートエッジバインド）両面モードでは、用紙を立てた状態で表裏の画像方向が逆の方向（１８０度回転した方向）となるように両面印字を行う。
【０００７】
図１５は、用紙の方向と用紙に描画される画像方向との関係を示す模式図であり、（ａ）はポートレート方向の描画（以下、ポートレート描画）に対応し、（ｂ）はランドスケープ方向の描画（以下、ランドスケープ描画）に対応する。
【０００８】
図１６は、用紙の方向と用紙の搬送方向との関係を示す模式図であり、（ａ）は長辺フィード（ロングエッジフィード）に対応し、（ｂ）は短辺フィード（ショートエッジフィード）に対応する。
【発明の開示】
【発明が解決しようとする課題】
【０００９】
しかしながら、上述のように従来の画像形成装置では、上記両面出力制御を行う場合、長辺綴じ両面モード指定または短辺綴じ両面モード指定等の両面モードの指定は、出力を行う書類の全体に対して指定するのに対し、用紙サイズ（Ａ３，Ａ４，Ｂ４，Ｂ５等）や、描画向き（ポートレート描画，ランドスケープ描画）等の指定は、各ページごとに行えるため、同一の書類内に複数の異なるサイズの用紙に対する描画を混在して指定することができる。
【００１０】
そのため、従来の画像形成装置では、書類全体に対する両面出力の指定に対し混在する用紙サイズ間で綴じ方向が矛盾する場合があった。
【００１１】
以下、図１７〜図１９を参照して、同一の書類内にＡ４サイズのポートレート描画とＡ３サイズのランドスケープ描画が混在する場合について説明する。
【００１２】
図１７は、Ａ４サイズ長辺フィード用紙のポートレート描画１〜４ページの出力結果を示す模式図であり、（ａ）は出力結果を束ねた状態を示し、（ｂ）は出力結果の２，３ページを開いた状態を示す。
【００１３】
図１８は、Ａ３サイズ短辺フィード用紙のランドスケープ描画５〜８ページの出力結果を示す模式図であり、（ａ）は出力結果を束ねた状態を示し、（ｂ）は出力結果の６，７ページを開いた状態を示す。
【００１４】
図１９は、図１７に示したＡ４サイズ長辺フィード用紙のポートレート描画１〜４ページの出力結果と図１８に示したＡ３サイズ短辺フィード用紙のランドスケープ描画５〜８ページの出力結果とを束ねた状態を示す模式図であり、（ａ）は出力結果を束ねた状態を示し、（ｂ）は出力結果の６，７ページを開いた状態を示し、「６ページ」は逆さまに綴じられている。
【００１５】
上記図１９に示すように、Ａ４サイズの用紙を長辺フィード（ロングエッジフィード）で紙送りしてポートレート描画を印字し、Ａ３サイズの用紙を短辺フィード（ショートエッジフィード）で紙送りしてランドスケープ描画で印字し、束ねる場合には、Ａ４サイズの用紙の表裏の描画方向と、Ａ３サイズの用紙の表裏の描画方向が異なってしまう。
【００１６】
これは、Ａ３，Ａ４サイズ共に、長辺綴じ両面モードで描画を指定されているためであり、図１９の（ｂ）に示すようにＡ３サイズの用紙の「６ページ，８ページ（偶数ページ）」は逆さまに綴じられてしまう。
【００１７】
一方、逆に短辺綴じ（ショートエッジバインド）両面モードの指定を書類に対して行い、同一の書類内に、Ａ４サイズのポートレート描画とＡ３サイズのランドスケープ描画が混在する場合についても考える。
【００１８】
この場合、Ａ３，Ａ４サイズ共に、短辺綴じ両面モードで描画を指定されているため、Ａ４サイズの用紙の２ページ（偶数ページ）は逆さまに綴じられてしまう。
【００１９】
このように、従来の画像形成装置では、用紙サイズが混在する場合、両面の綴じ方向をドキュメント全体に一意に指示した場合、結果的に綴じ位置が矛盾する場合があった。
【００２０】
本発明は、上記の問題点を解決するためになされたもので、本発明の目的は、同一の書類内に複数の用紙サイズが混在した場合でも、綴じ方向に整合した最適な両面印字出力結果を取得することができる仕組を提供することである。
【課題を解決するための手段】
【００２１】
本発明は、画像形成されたシートに対するステイプル動作を実行可能なステイプル手段によりステイプルすべきシートを供給可能な画像形成装置を具備する画像形成システムの制御方法であって、大サイズのシートと小サイズのシートとを含むサイズの異なるシートが混在するシート束のためのステイプル動作を指定させ、前記大サイズのシートの短辺の長さと前記小サイズのシートの長辺の長さがシートの搬送方向と直交する方向で一致する場合で、かつ、前記シート束がステイプル後に広げられた時に前記シート束に含まれる各シート上に形成された各画像が全て同じ向きとなる場合に、前記シート束のためのステイプル動作を前記ステイプル手段により実行させることを特徴とする。
【００２２】
また、本発明は、画像形成されたシートに対するステイプル動作を実行可能なステイプル手段によりステイプルすべきシートを供給可能な画像形成装置を具備する画像形成システムの制御方法であって、大サイズのシートと小サイズのシートとを含むサイズの異なるシートが混在するシート束に対するステイプル動作を指定させ、ポートレート画像を形成する前記大サイズのシートの短辺の長さとランドスケープ画像を形成する前記小サイズのシートの長辺の長さがシートの搬送方向と直交する方向で一致する場合で、かつ、前記シート束に対して画像の方向を基準に上端綴じが指定された場合に、前記シート束のためのステイプル動作を前記ステイプル手段により実行させることを特徴とする。
【００２３】
また、本発明は、画像形成されたシートに対するステイプル動作を実行可能なステイプル手段によりステイプルすべきシートを供給可能な画像形成装置を具備する画像形成システムの制御方法であって、大サイズのシートと小サイズのシートとを含むサイズの異なるシートが混在するシート束に対するステイプル動作を指定させ、ランドスケープ画像を形成する前記大サイズのシートの短辺の長さとポートレート画像を形成する前記小サイズのシートの長辺の長さがシートの搬送方向と直交する方向で一致する場合で、かつ、前記シート束に対して画像の方向を基準に左端綴じが指定された場合に、前記シート束のためのステイプル動作を前記ステイプル手段により実行させることを特徴とする。
【００２４】
また、本発明は、画像データと印刷条件に応じてシートに画像形成するように構成された画像形成装置の制御方法であって、異なった向きのシートに画像形成しステイプルさせるために、画像形成に用いる複数のシートを選択的に供給させ、前記複数のシートを排出させ、排出された前記複数のシートをステイプルさせる、ことを特徴とする。
【００２５】
また、本発明は、画像データと印刷条件に応じてシートに画像形成するように構成された画像形成装置の制御方法であって、異なった向きのシートに画像形成し後処理を実行させるために、画像形成に用いる複数のシートを選択的に供給させ、前記複数のシートを排出させ、排出された前記複数のシートに後処理を実行させる、ことを特徴とする。
【００２６】
また、本発明は、画像形成されたシートのためにステイプル動作を実行可能な画像形成装置であって、前記画像形成装置の制御手段は、大サイズのシートと小サイズのシートとを含むサイズの異なるシートが混在するシート束のためのステイプル動作を指定させ、前記大サイズのシートの短辺の長さと前記小サイズのシートの長辺の長さがシートの搬送方向と直交する方向で一致する場合で、かつ、ステイプル後に広げられた時に前記シート束に含まれる各シート上に形成された各画像が全て同じ向きとなる場合に、前記シート束のための前記ステイプル動作を実行させることを特徴とする。
【００２７】
また、本発明は、画像形成されたシートのためにステイプル動作を実行可能な画像形成装置であって、前記画像形成装置の制御手段は、大サイズのシートと小サイズのシートとを含むサイズの異なるシートが混在するシート束のためのステイプル動作を指定させ、ポートレート画像を形成する前記大サイズのシートの短辺の長さとランドスケープ画像を形成する前記小サイズのシートの長辺の長さがシートの搬送方向と直交する方向で一致する場合で、かつ、前記シート束に対して画像の方向を基準に上端綴じが指定された場合に、前記シート束のための前記ステイプル動作を実行させことを特徴とする。
【００２８】
また、本発明は、画像形成されたシートのためにステイプル動作を実行可能な画像形成装置であって、前記画像形成装置の制御手段は、大サイズのシートと小サイズのシートとを含むサイズの異なるシートが混在するシート束に対するステイプル動作を指定させ、ランドスケープ画像を形成する前記大サイズのシートの短辺の長さとポートレート画像を形成する前記小サイズのシートの長辺の長さがシートの搬送方向と直交する方向で一致する場合で、かつ、前記シート束に対して画像の方向を基準に左端綴じが指定された場合に、前記シート束のための前記ステイプル動作を実行させることを特徴とする。
【００２９】
また、本発明は、画像データと印刷条件に応じてシートに画像形成するように構成された画像形成手段を有する画像形成装置であって、前記画像形成手段に、複数のシートを供給するシート供給手段と、前記画像形成手段から前記複数のシートを排出するように構成された、シート排出手段と、前記複数のシートをステイプルするように構成されたステイプル手段と、異なった向きのシートに画像形成しステイプルするために、前記用紙供給手段から選択的にページを供給し制御するように構成された制御手段と、を有することを特徴とする。
【００３０】
また、本発明は、画像データと印刷条件に応じてシートに画像形成するように構成された画像形成手段を有する画像形成装置であって、前記画像形成手段に、複数のシートを供給するシート供給手段と、前記画像形成手段から前記複数のシートを排出するように構成されたシート排出手段と、前記複数のシートに後処理を実行するように構成された後処理手段と、異なった向きのシートに画像形成し後処理を実行するために、前記用紙供給手段から選択的にページを供給し制御するように構成された制御手段と、を有することを特徴とする。
【００３１】
また、本発明は、第１のサイズのシートに第１の画像と第２の画像とを形成させる場合に、前記第１のサイズのシートにおける前記第１の画像の形成面の左端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の上端を軸としてシートをめくった時に前記第４の画像が正立する向きで前記第４の画像を前記第２のサイズのシートに形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートに前記第１の画像を形成可能で、且つ、前記第１のサイズのシートにおける前記第１の画像の形成面の左端を軸としてシートをめくった時に前記第２の画像が正立する向きで前記第２の画像を前記第１のサイズのシートに形成させ、前記第２のサイズのシートに前記第３の画像を形成可能で、前記第２のサイズのシートにおける前記第３の画像の形成面の上端を軸としてシートをめくった時に前記第４の画像が正立する向きで前記第４の画像を前記第２のサイズのシートに形成させることなく、前記第２のサイズのシートにおける前記第３の画像の形成面の左端を軸としてシートをめくった時に前記第４の画像が正立する向きで前記第４の画像を前記第２のサイズのシートに形成させることを特徴とする。
【００３２】
また、本発明は、第１のサイズのシートに第１の画像と第２の画像とを形成させる場合に、前記第１のサイズのシートにおける前記第１の画像の形成面の上端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の左端を軸としてシートをめくった時に前記第４の画像が正立する向きで前記第４の画像を前記第２のサイズのシートに形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートにおける前記第１の画像の形成面の上端を軸としてシートをめくった時に前記第２の画像が正立する向きで前記第２の画像を前記第１のサイズのシートに形成させ、前記第２のサイズのシートにおける前記第３の画像の形成面の左端を軸としてシートをめくった時に前記第４の画像が正立する向きで前記第４の画像を前記第２のサイズのシートに形成させることなく、前記第２のサイズのシートにおける前記第３の画像の形成面の上端を軸としてシートをめくった時に前記第４の画像が正立する向きで前記第４の画像を前記第２のサイズのシートに形成させることを特徴とする。
【００３３】
また、本発明は、第１のサイズのシートに第１の画像と第２の画像とを形成させる場合に、前記第１のサイズのシートにおける前記第１の画像の形成面の上端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の左端を軸としてシートをめくった時に前記第４の画像が正立する向きで前記第４の画像を前記第２のサイズのシートに形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートに前記第１の画像を形成させ、前記第１のサイズのシートにおける前記第１の画像の形成面の上端を軸としてシートをめくった時に前記第２の画像が正立する向きで前記第２の画像を前記第１のサイズのシートに形成させることなく、前記第１のサイズのシートにおける前記第１の画像の形成面の左端を軸としてシートをめくった時に前記第２の画像が正立する向きで前記第２の画像を前記第１のサイズのシートに形成させ、前記第２のサイズのシートにおける前記第３の画像の形成面の左端を軸としてシートをめくった時に前記第４の画像が正立する向きで前記第４の画像を前記第２のサイズのシートに形成させることを特徴とする。
【００３４】
また、本発明は、第１のサイズのシートに第１の画像と第２の画像とを形成させる場合に、前記第１のサイズのシートにおける前記第１の画像の形成面の左端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の上端を軸としてシートをめくった時に前記第４の画像が正立する向きで前記第４の画像を前記第２のサイズのシートに形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートにおける前記第１の画像の形成面の左端を軸としてシートをめくった時に前記第２の画像が正立する向きで前記第２の画像を前記第１のサイズのシートに形成させることなく、前記第１のサイズのシートにおける前記第１の画像の形成面の上端を軸としてシートをめくった時に前記第２の画像が正立する向きで前記第２の画像を前記第１のサイズのシートに形成させ、前記第２のサイズのシートにおける前記第３の画像の形成面の上端を軸としてシートをめくった時に前記第４の画像が正立する向きで前記第４の画像を前記第２のサイズのシートに形成させることを特徴とする。
【００３５】
また、本発明は、第１のサイズのシートに第１の画像と第２の画像とを形成させる場合に、前記第１のサイズのシートにおける前記第１の画像の形成面の裏面に前記第１の画像と同じ向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートにおける前記第１の画像の形成面の裏面に前記第１の画像と同じ向きで前記第２の画像を前記第１のサイズのシートに形成させ、前記第２のサイズのシートにおける前記第３の画像の形成面の裏面に前記第３の画像と逆の向きで前記第４の画像を形成させることなく、前記第２のサイズのシートにおける前記第３の画像の形成面の裏面に前記第３の画像と同じ向きで前記第４の画像を形成させることを特徴とする。
【００３６】
また、本発明は、第１のサイズのシートに第１の画像と第２の画像とを形成させる場合に、前記第１のサイズのシートにおける前記第１の画像の形成面の裏面に前記第１の画像と逆の向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートにおける前記第１の画像の形成面の裏面に前記第１の画像と逆の向きで前記第２の画像を前記第１のサイズのシートに形成させ、前記第２のサイズのシートにおける前記第３の画像の形成面の裏面に前記第３の画像と同じ向きで前記第４の画像を形成させることなく、前記第２のサイズのシートにおける前記第３の画像の形成面の裏面に前記第３の画像と逆の向きで前記第４の画像を形成させることを特徴とする。
【００３７】
また、本発明は、第１のサイズのシートに第１の画像と第２の画像とを形成させる場合に、前記第１のサイズのシートにおける前記第１の画像の形成面の裏面に前記第１の画像と逆の向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートにおける前記第１の画像の形成面の裏面に前記第１の画像と逆の向きで前記第２の画像を前記第１のサイズのシートに形成させることなく、前記第１のサイズのシートにおける前記第１の画像の形成面の裏面に前記第１の画像と同じ向きで前記第２の画像を前記第１のサイズのシートに形成させ、前記第２のサイズのシートにおける前記第３の画像の形成面の裏面に前記第３の画像と同じ向きで前記第４の画像を形成させることを特徴とする。
【００３８】
また、本発明は、第１のサイズのシートに第１の画像と第２の画像とを形成させる場合に、前記第１のサイズのシートにおける前記第１の画像の形成面の裏面に前記第１の画像と同じ向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置の制御方法であって、前記第１の画像、前記第２の画像、前記第３の画像、及び、前記第４の画像の形成処理を実行するにあたり前記第１のサイズのシートと前記第２のサイズのシートとの両方のシートを要するジョブを受け付けた場合に、前記第１のサイズのシートにおける前記第１の画像の形成面の裏面に前記第１の画像と同じ向きで前記第２の画像を前記第１のサイズのシートに形成させることなく、前記第１のサイズのシートにおける前記第１の画像の形成面の裏面に前記第１の画像と逆の向きで前記第２の画像を前記第１のサイズのシートに形成させ、前記第２のサイズのシートにおける前記第３の画像の形成面の裏面に前記第３の画像と逆の向きで前記第４の画像を形成させることを特徴とする。
【発明の効果】
【００３９】
本発明の請求項１乃至１０に記載の発明によれば、複数の用紙サイズが混在したジョブを画像形成装置が受け付けた場合でも、ステイプルなどの後処理が適正に施された出力結果を得ることができる。
【００４０】
また、本発明の請求項１１に記載の発明によれば、第１のサイズのシートに第１の画像と第２の画像とを形成させる場合に、前記第１のサイズのシートにおける前記第１の画像の形成面の左端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の上端を軸としてシートをめくった時に前記第４の画像が正立する向きで前記第４の画像を前記第２のサイズのシートに形成可能な、画像形成装置が、前記第１のサイズのシートと前記第２のサイズのシートとが混在するジョブを受け付けた場合でも、適正な出力結果を得ることができる。
【００４１】
また、本発明の請求項１２に記載の発明によれば、第１のサイズのシートに第１の画像と第２の画像とを形成させる場合に、前記第１のサイズのシートにおける前記第１の画像の形成面の上端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の左端を軸としてシートをめくった時に前記第４の画像が正立する向きで前記第４の画像を前記第２のサイズのシートに形成可能な、画像形成装置が、前記第１のサイズのシートと前記第２のサイズのシートとが混在するジョブを受け付けた場合でも、適正な出力結果を得ることができる。
【００４２】
また、本発明の請求項１３に記載の発明によれば、第１のサイズのシートに第１の画像と第２の画像とを形成させる場合に、前記第１のサイズのシートにおける前記第１の画像の形成面の上端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の左端を軸としてシートをめくった時に前記第４の画像が正立する向きで前記第４の画像を前記第２のサイズのシートに形成可能な、画像形成装置が、前記第１のサイズのシートと前記第２のサイズのシートとが混在するジョブを受け付けた場合でも、適正な出力結果を得ることができる。
【００４３】
また、本発明の請求項１４に記載の発明によれば、第１のサイズのシートに第１の画像と第２の画像とを形成させる場合に、前記第１のサイズのシートにおける前記第１の画像の形成面の左端を軸としてシートをめくった時に前記第２の画像が正立する向きで前記第２の画像を前記第１のサイズのシートに形成可能で、且つ、前記第１のサイズのシートより大きい第２のサイズのシートに第３の画像と第４の画像とを形成させる場合に、前記第２のサイズのシートにおける前記第３の画像の形成面の上端を軸としてシートをめくった時に前記第４の画像が正立する向きで前記第４の画像を前記第２のサイズのシートに形成可能な、画像形成装置が、前記第１のサイズのシートと前記第２のサイズのシートとが混在するジョブを受け付けた場合でも、適正な出力結果を得ることができる。
【００４４】
また、本発明の請求項１５に記載の発明によれば、第１のサイズのシートに第１の画像と第２の画像とを形成させる場合に、前記第１のサイズのシートにおける前記第１の画像の形成面の裏面に前記第１の画像と同じ向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置が、前記第１のサイズのシートと前記第２のサイズのシートとが混在するジョブを受け付けた場合でも、適正な出力結果を得ることができる。
【００４５】
また、本発明の請求項１６に記載の発明によれば、第１のサイズのシートに第１の画像と第２の画像とを形成させる場合に、前記第１のサイズのシートにおける前記第１の画像の形成面の裏面に前記第１の画像と逆の向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置が、前記第１のサイズのシートと前記第２のサイズのシートとが混在するジョブを受け付けた場合でも、適正な出力結果を得ることができる。
【００４６】
また、本発明の請求項１７に記載の発明によれば、第１のサイズのシートに第１の画像と第２の画像とを形成させる場合に、前記第１のサイズのシートにおける前記第１の画像の形成面の裏面に前記第１の画像と逆の向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と同じ向きで前記第４の画像を形成可能な、画像形成装置が、前記第１のサイズのシートと前記第２のサイズのシートとが混在するジョブを受け付けた場合でも、適正な出力結果を得ることができる。
【００４７】
また、本発明の請求項１８に記載の発明によれば、第１のサイズのシートに第１の画像と第２の画像とを形成させる場合に、前記第１のサイズのシートにおける前記第１の画像の形成面の裏面に前記第１の画像と同じ向きで前記第２の画像を形成可能で、且つ、前記第１のサイズのシートより大きい第２のサイズのシートに第３の画像と第４の画像とを形成させる場合に、前記第２のサイズのシートにおける前記第３の画像の形成面の裏面に前記第３の画像と逆の向きで前記第４の画像を形成可能な、画像形成装置が、前記第１のサイズのシートと前記第２のサイズのシートとが混在するジョブを受け付けた場合でも、適正な出力結果を得ることができる。
【００４８】
以上のように、本発明の請求項１乃至２６に記載の発明によれば、複数の用紙サイズが混在したジョブを画像形成装置が受け付けた場合でも、適正な出力結果を得ることができる。
【発明を実施するための最良の形態】
【００４９】
図１は、本発明の一実施形態を示す画像形成装置の構成を説明するブロック図である。
【００５０】
図において、１は画像入力装置（以下、リーダ部と称する）で、原稿を読み取り画像データに変換する。２は画像出力装置（以下、プリンタ部と称する）で、複数種類の記録紙カセットを有し、プリント命令によりリーダ部１により読み取られた画像データを記録紙上に可視像として出力する。３は外部装置で、各種の機能を有し、リーダ部１と電気的に接続（ケーブルで接続）され、各種信号の制御や各機能の制御を行う。
【００５１】
外部装置３において、４はファクシミリ部で、電話回線を介してファクシミリの送受信を行う。４Ａはハードディスクで、ファクシミリ部４に接続され、ファクシミリ部４の各種送受信データを格納可能とする。５はファイル部で、各種原稿情報を電気信号に変換し光磁気ディスク等の外部記憶装置６に保存する。７はコンピュータインタフェース部で、接続されるパーソナルコンピュータ／ワークステーション（以下、ＰＣ／ＷＳ）７Ａとの通信を行う。
【００５２】
８はフォーマッタ部で、ＰＣ／ＷＳ７Ａから転送されるコード情報を可視像とするためのイメージ情報に展開する。９はイメージメモリ部で、リーダ部１からの情報を蓄積したり、ＰＣ／ＷＳ７Ａから送られてきた情報を一時的に蓄積する。１０はコア部で、各種信号の制御や各機能の制御を行い、外部装置３を総括制御する。
【００５３】
図２は、図１に示した画像形成装置のリーダ部１およびプリンタ部２の構成を説明する断面図であり、図１と同一のものには同一の符号を付してある。
【００５４】
リーダ部１において、１０１は原稿給送装置で、原稿台上に積載された原稿を１枚ずつ順次原稿台ガラス面１０２上に搬送する。１０４はスキャナユニットで、このスキャナユニット１０４が移動して、原稿台ガラス面１０２の所定位置に載置された原稿をランプ１０３を点灯して照射する。１０９はＣＣＤイメージセンサ部（以下、ＣＣＤ）で、ミラー１０５，１０６，１０７，レンズ１０８を介して原稿の反射光を入力する。なお、ＣＣＤ１０９に照射された原稿の反射光は、リーダ部１で光電変換されレッド，グリーン，ブルーの各色の電気信号に変換される。
【００５５】
以下、各部の動作について説明する。
【００５６】
原稿給送装置１０１の原稿台上に積載された原稿は、１枚づつ順次原稿台ガラス面１０２上に搬送される。原稿が原稿台ガラス面１０２の所定位置へ搬送されると、スキャナ部のランプ１０３が点灯し、スキャナユニット１０４が移動して原稿を照射する。原稿の反射光は、ミラー１０５，１０６，１０７，レンズ１０８を介してＣＣＤ１０９に入力される。
【００５７】
プリンタ部２において、２０１は露光制御部で、プリンタ部２に入力された画像信号を変調し光信号に変換して感光体２０２に照射する。２０３は現像器で、照射光によって作られた感光体２０２上の潜像を現像する。２０６は転写部で、転写紙積載部２０４または２０５に格納され、上記現像器２０３の先端とタイミングを併せて搬送される転写紙に現像器２０３により現像された像を転写する。２０７は定着部で、転写紙に転写された像を定着する。２０８は排紙部で、定着部２０７により定着処理された転写紙を画像形成装置外部に排出する。２０９は搬送方向切り替え部材（以下、フラッパ）で、両面印字または多重印字が指定されている場合に、このフラッパ２０９を所定のタイミングで切り替えることにより、転写紙を再給紙用被転写紙積載部２１０に誘導する。
【００５８】
２２０はソータで、排紙部２０８から出力された転写紙にソート機能を働せ、各ビンまたはソート機能が働いていない場合にはソータの最上位のビンに排出する。また、ソータ２２０は、内部にステイプラ２２１を備え、排紙部２０８から出力された転写紙にステイプル処理を施す。
【００５９】
以下、各部の動作について説明する。
【００６０】
プリンタ部２に入力された画像信号は、露光制御部２０１によって変調され、光信号に変換されて感光体２０２を照射する。照射光によって感光体２０２上に作られた潜像は現像器２０３によって現像される。上記現像器の先端とタイミングを併せて転写紙積載部２０４、もしくは２０５より転写紙が搬送され、転写部２０６において、上記現像された像が転写される。転写された像は定着部２０７にて転写紙に定着された後、排紙部２０８より装置外部に排出される。排紙部２０８から出力された転写紙は、ソータ２２０でソート機能が働いている場合には、各ピンに、またはソート機能が働いていない場合には、ソータの最上位のピンに排出される。
【００６１】
続いて、順次読み込む画像を１枚の出力用紙の画面に出力する方法について説明する。定着部２０７で定着された出力用紙を、一度、排紙部２０８まで搬送後、用紙の搬送向きを反転してフラッパ２０９を介して再給紙用被転写紙積載部２１０に搬送する。次の原稿が準備されると、上記プロセスと同様にして原稿画像が読み取られるが転写紙については再給紙用被転写紙積載部２１０より給紙されるので、結局、同一の出力紙（転写紙）の表面、裏面に２枚の原稿画像を出力することができる。
【００６２】
図３は、図１に示した画像形成装置のリーダ部１の信号処理構成を説明するブロック図であり、図１と同一のものには同一の符号を付してある。
【００６３】
図において、１１０Ｒ、１１０Ｇ、１１０Ｂは増幅器で、ＣＣＤ１０９からのカラー情報をアナログデジタル変換器（Ａ／Ｄ変換器）１１１の入力信号レベルに合わせて増幅する。Ａ／Ｄ変換器１１１は、増幅器１１０Ｒ，１１０Ｇ，１１０Ｂで増幅された各カラーアナログ情報をデジタル変換する。１１２はシェーディング補正部で、Ａ／Ｄ変換器１１１からの出力信号をシェーディング補正（ランプ１０３の配光ムラや、ＣＣＤ１０９の感度ムラを補正）し、Ｙ信号生成・色検出回路１１３および外部Ｉ／Ｆ切り替え回路１１９に出力する。
【００６４】
Ｙ信号生成・色検出回路１１３は、シェーディング回路１１２からの出力信号を式「Ｙ＝０．３Ｒ＋０．６Ｇ＋０．１Ｂ」で演算してＹ信号を生成し、さらに、Ｒ，Ｇ，Ｂの各信号から７つの色に分離した各色に対する信号を出力する色検出を行う。１１４は変倍・リピート回路で、Ｙ信号生成・色検出回路１１３からの出力信号をスキャナユニット１０４の走査スピードにより副走査方向の変倍、および主走査方向の変倍を行う。また、変倍・リピート回路１１４は複数の同一画像を出力することが可能である。
【００６５】
１１５は輪郭・エッジ強調回路で、変倍・リピート回路１１４からの信号の高周波成分を強調することによりエッジ強調および輪郭情報を取得し、信号をマーカエリア判定・輪郭生成回路１１６、およびパターン化・太らせ・マスキング・トリミング回路１１７に出力する。
【００６６】
マーカエリア判定・輪郭生成回路１１６は、原稿上の指定された色のマーカペンで書かれた部分を読み取りマーカの輪郭情報を生成する。パターン化・太らせ・マスキング・トリミング回路１１７は、マーカエリア判定・輪郭生成回路１１６からの輪郭情報から太らせやマスキングやトリミングを行う。また、Ｙ信号生成・色検出回路１１３からの色検出信号によりパターン化を行う。
【００６７】
１１８はレーザドライバ回路で、パターン化・太らせ・マスキング・トリミング回路１１７からの出力信号を、レーザを駆動するための信号に変換する。レーザドライバ回路１１８の出力信号は、プリンタ部２に入力され可視像として画像形成が行われる。
【００６８】
外部Ｉ／Ｆ切り替え回路１１９は、外部装置３とのＩ／Ｆ（インタフェース）を行う。また、外部Ｉ／Ｆ切り替え回路１１９は、リーダ部１から画像情報を外部装置３に出力する場合、パターン化・太らせ・マスキング・トリミング回路１１７からの画像情報をコネクタ１２０に出力する。さらに、外部Ｉ／Ｆ切り替え回路１１９は、外部装置３からの画像情報をリーダ部１に入力する場合、コネクタ１２０からの画像情報をＹ信号生成・色検出回路１１３に入力する。
【００６９】
１２２はＣＰＵで、上記の各画像処理を指示し、リーダ部１を総括制御する。１２１はエリア生成回路で、ＣＰＵ１２２によって設定された値により上記画像処理に必要な各種のタイミング信号を生成する。
【００７０】
また、ＣＰＵ１２２は、内蔵されている通信機能を用いて外部装置３との通信を行う。１２３はＳＵＢ・ＣＰＵで、操作部１２４の制御を行うと共にＳＵＢ・ＣＰＵ１２３に内蔵されている通信機能を用いて外部装置３との通信を行う。
【００７１】
図４は、図１に示した画像形成装置のコア部１０の構成および動作について説明するブロック図であり、図１と同一のものには同一の符号を付してある。
【００７２】
図において、コア部１０のコネクタ１００１は、リーダ部１のコネクタ１２０とケーブルで接続される。コネクタ１００１には、４種類の信号線１０５１，１０５２，１０５７，１０５５が内蔵されており、信号線１０５１は、リーダ部１内のＣＰＵ１２２と通信を行う信号線である。信号線１０５２は、リーダ部１内のＳＵＢ・ＣＰＵ１２３と通信を行う信号線である。信号線１０５７は、８ｂｉｔ多値のビデオ信号線である。信号線１０５５は、ビデオ信号を制御する制御信号線である。
【００７３】
また、信号線１０５１と信号線１０５２は、通信用ＩＣ１００２で通信プロトコル処理され、ＣＰＵバス１０５３を介してＣＰＵ１００３に通信情報を伝達する。ＣＰＵ１００３は、制御プログラムを格納したＲＯＭおよびワークエリアとしてのＲＡＭを有し、コア部１０内の各構成を前記ＲＯＭ内制御プログラムに従ってコア部１０を総括制御（後述する）する。
【００７４】
なお、信号線１０５７は、双方向のビデオ信号ラインであり、リーダ部１からの情報をコア部１０で受け取ること、およびコア部１０からの情報をリーダ部１に出力することが可能である。また、信号線１０５７は、バッファ１０１０に接続され、ここで双方向信号から片方向の信号の信号線１０５８と１０７０に分離される。信号線１０５８は、リーダ部１からの８ｂｉｔ多値のビデオ信号の信号線であり、次段のルックアップテーブル部（以下、ＬＵＴ）１０１１に８ｂｉｔ多値のビデオ信号を出力する。
【００７５】
ＬＵＴ１０１１では、リーダ部１からの画像情報をルックアップテーブルにより所望する値に変換する。ＬＵＴ１０１１からの出力信号線１０５９の信号は二値化回路１０１２または、セレクタ１０１３に入力される。二値化回路１０１２には、信号線１０５９の多値の信号を固定のスライスレベルで二値化する単純二値化機能、スライスレベルが注目画素の回りの画素の値から変動するスライスレベルによる二値化機能、および誤差拡散法による二値化機能を有する。
【００７６】
二値化された情報は、「０」のときは「００Ｈ」、「１」のときは「ＦＦＨ」の多値信号に変換され、次段のセレクタ１０１３に入力される。セレクタ１０１３は、ＬＵＴ１０１１からの信号か、または二値化回路１０１２の出力信号かいずれかを選択する。
【００７７】
セレクタ１０１３からの出力信号線１０６０の信号は、セレクタ１０１４に入力される。セレクタ１０１４は、ファクシミリ部４，ファイル部５，コンピュータインタフェース部７，フォーマッタ部８，イメージメモリ部９からのビデオ信号出力をそれぞれコネクタ１００５，１００６，１００７，１００８，１００９を介してコア部１０に入力された（信号線１０６４の）信号と、セレクタ１０１３の出力信号線１０６０の信号とをＣＰＵ１００３の指示により選択する。
【００７８】
セレクタ１０１４の出力信号線１０６１の信号は、回転回路１０１５またはセレクタ１０１６に入力される。回転回路１０１５は入力した画像信号を「＋９０度」，「−９０度」，「＋１８０度」に回転する機能を有する。回転回路１０１５は、リーダ部１から出力された情報を二値化回路１０１２で二値信号に変換した後、回転回路１０１５にリーダ部１からの情報として記憶する。
【００７９】
次に、ＣＰＵ１００３からの指示により回転回路１０１５は、記憶した情報を回転して読み出す。セレクタ１０１６は、回転回路１０１５の出力信号線１０６２と回転回路１０１５の入力信号線１０６１のどちらかの信号を選択し、信号線１０６３の信号としてファクシミリ部４とのコネクタ１００５，ファイル部５とのコネクタ１００６，コンピュータインタフェース部７とのコネクタ１００７，フォーマッタ部８とのコネクタ１００８，イメージメモリ部９とのコネクタ１００９とセレクタ１０１７に出力する。
【００８０】
信号線１０６３を流れる信号は、コア部１０からファクシミリ部４，ファイル部５，コンピュータインタフェース部７，フォーマッタ部８, イメージメモリ部９への画像情報の転送を行う同期式８ビットの片方向ビデオバスの信号であり、信号線１０６４は、ファクシミリ部４，ファイル部５，コンピュータインタフェース部７，フォーマッタ部８，イメージメモリ部９から画像情報の転送を行う同期式８ビットの片方向ビデオバスである。
【００８１】
ここで、ビデオ制御回路１００４が、上記の信号線１０６３と信号線１０６４の同期式バスの制御をビデオ制御回路１００４からの出力信号線１０５６の信号により制御している。コネクタ１００５〜コネクタ１００９には、ほかに信号線１０５４がそれぞれ接続される。信号線１０５４は、双方向の１６ビットＣＰＵバスであり、非同期式によるデータ・コマンドのやり取りを行う。
【００８２】
ファクシミリ部４，ファイル部５，コンピュータインタフェース部７，フォーマッタ部８，イメージメモリ部９とコア部１０との情報の転送には、上記の２つのビデオバス１０６３，１０６４とＣＰＵバス１０５４によって可能である。
【００８３】
また、ファクシミリ部４，ファイル部５，コンピュータインタフェース部７，フォーマッタ部８，イメージメモリ部９からの信号線１０６４の信号は、セレクタ１０１４とセレクタ１０１７に入力される。セレクタ１０１４は、ＣＰＵ１００３の指示により信号線１０６４の信号を次段の回転回路１０１５に入力する。
【００８４】
セレクタ１０１７は、信号線１０６３と信号線１０６４との信号のいずれかをＣＰＵ１００３の指示により選択する。セレクタ１０１７の出力信号線１０６５は、パターンマッチング回路１０１８，セレクタ１０１９，１０２１に入力される。パターンマッチング回路１０１８は、入力信号線１０６５の信号をあらかじめ決められたパターンとパターンマッチングを行い、パターンが一致した場合、あらかじめ決められた多値の信号を信号ライン１０６６に出力する。パターンマッチングで一致しなかった場合は、入力信号線１０６５の信号を信号線１０６６に出力する。
【００８５】
セレクタ１０１９は信号線１０６５と信号線１０６６をＣＰＵ１００３の指示により選択する。セレクタ１０１９の出力信号は信号線１０６７を通り、次段のルックアップテーブル（ＬＵＴ）１０２０に入力される。ＬＵＴ１０２０は、プリンタ部２に画像情報を出力する際にプリンタの特性に合わせて入力信号線１０６７の信号を変換する。
【００８６】
セレクタ１０２１は、ＬＵＴ１０２０の出力信号線１０６６と信号線１０６５のいずれかの信号をＣＰＵ１００３の指示により選択する。セレクタ１０２１の出力信号は信号線１０６９を介して次段の拡大回路１０２２に入力される。拡大回路１０２２は、ＣＰＵ１００３からの指示により画像のＸ方向，Ｙ方向独立に拡大倍率を設定することが可能である。
【００８７】
拡大方法は、１次の線形補間方法である。拡大回路１０２２の出力信号は信号線１０７０を通って、バッファ１０１０に入力される。バッファ１０１０に入力された信号線１０７０の信号は、ＣＰＵ１００３の指示により双方向信号線１０５７を通って、コネクタ１００１を介しプリンタ部２に送られプリントアウトされる。
【００８８】
図５は、図１に示した画像形成装置のコンピュータインタフェース部７の構成を説明するブロック図である。
【００８９】
図において、７０４，７０８はＳＣＳＩインタフェース（ＳＣＳＩＩ／Ｆ）で、７０５はセントロニクスインタフェース（セントロニクスＩ／Ｆ）で、７０６はＲＳ２３２Ｃインタフェース（ＲＳ２３２ＣＩ／Ｆ）で、各々ＳＣＳＩ，ＲＳ２３２Ｃ，セントロニクス系との通信を行う。
【００９０】
７００〜７０３は外部に接続する装置（例えば、ＰＣ／ＷＳ７Ａ等）との間のコネクタで、各インタフェース７０４，７０８，７０５，７０６と信号線７５１，７５２，７５３を介して接続されている。７０７はコア部１０側との間のコネクタで、各インタフェース７０４，７０８，７０５，７０６と信号線７５４を介して接続される。また、コネクタ７０７を介してコンピュータインタフェース部７からの情報はコア部１０に転送される。
【００９１】
以下、コア部１０と各部との信号の流れについて説明する。
【００９２】
〔ファクシミリ部４との間の情報伝送によるコア部１０の動作〕
まず、コア部１０からファクシミリ部４に情報を出力する場合について説明する。
【００９３】
コア部１０のＣＰＵ１００３は、通信用ＩＣ１００２を介して、リーダ部１のＣＰＵ１２２と通信を行い、原稿スキャン命令を出す。リーダ部１は、この命令により原稿をスキャナユニット１０４がスキャンすることにより読みとり、画像情報をコネクタ１２０に出力する。リーダ部１と外部装置３は、ケーブルで接続されており、リーダ部１からの情報は、コア部１０のコネクタ１００１に入力される。
【００９４】
また、コア部１０のコネクタ１００１に入力された画像情報は、多値８ｂｉｔの信号ライン１０５７を通ってバッファ１０１０に入力される。バッファ回路１０１０はＣＰＵ１００３の指示により双方向信号線１０５７の信号を片方向信号として信号ライン１０５８を介してＬＵＴ１０１１に入力する。ＬＵＴ１０１１ではリーダ部１からの画像情報をルックアップテーブルを用いて所望する値に変換する。例えば、原稿の下地を飛ばすことなどが可能である。
【００９５】
ＬＵＴ１０１１の出力信号は、出力信号線１０５９を通って次段の二値化回路１０１２に入力される。二値化回路１０１２は信号線１０５９の８ｂｉｔ多値信号を二値化信号に変換する。二値化回路１０１２は、二値化された信号が０の場合００Ｈ、１の場合ＦＦＨと２つの多値の信号に変換する。二値化回路１０１２の出力信号は、セレクタ１０１３、セレクタ１０１４を介し回転回路１０１５または、セレクタ１０１６に入力される。
【００９６】
回転回路１０１５の出力信号も信号線１０６２を介してセレクタ１０１６に入力され、セレクタ１０１６は、信号線１０６１の信号か、信号線１０６２の信号のどちらかを選択する。信号の選択は、ＣＰＵ１００３がＣＰＵバス１０５４を介してファクシミリ部４と通信を行うことにより決定する。
【００９７】
セレクタ１０１６からの出力信号線１０６３の信号は、コネクタ１００５を介してファクシミリ部４に送られる。ファクシミリ部４は受け取った情報をハードディスク４Ａに記憶することもできる。
【００９８】
次にファクシミリ部４からの情報をコア部１０が受け取る場合について説明する。
【００９９】
ファクシミリ部４からの画像情報はコア部１０のコネクタ１００５を介して信号ライン１０６４に伝送される。信号線１０６４の信号は、セレクタ１０１４とセレクタ１０１７に入力される。コア部１０のＣＰＵ１００３の指示によりプリンタ部２にファクシミリ受信時の画像を回転して出力する場合には、セレクタ１０１４に入力された信号線１０６４の信号を回転回路１０１５で回転処理する。回転回路１０１５からの出力信号線１０６２の信号はセレクタ１０１６、セレクタ１０１７を介してパターンマッチング回路１０１８に入力される。
【０１００】
また、ＣＰＵ１００３の指示によりファクシミリ受信時の画像をそのままプリンタ部２に出力する場合には、セレクタ１０１７に入力した信号線１０６４の信号をパターンマッチング回路１０１８に入力する。
【０１０１】
次に、パターンマッチング回路１０１８は、ファクシミリ受信した際の画像のガタガタを滑らかにする機能を有する。パターンマッチングされた信号は、セレクタ１０１９を介してＬＵＴ１０２０に入力される。ＬＵＴ１０２０は、ファクシミリ受信した画像をプリンタ部２に所望する濃度で出力するために、ＬＵＴ１０２０のテーブルはＣＰＵ１００３で変更可能となっている。
【０１０２】
ＬＵＴ１０２０の出力信号線１０６８の信号は、セレクタ１０２１を介して拡大回路１０２２に入力される。拡大回路１０２２は、２つの値（「００Ｈ」，「ＦＦＨ」）を有する８ｂｉｔ多値信号を、１次の線形補間法により拡大処理を行う。拡大回路１０２２から出力された「００−ＦＦ」の値を有する８ｂｉｔ多値の多値信号は、バッファ１０１０とコネクタ１００１を介してリーダ部１に送られる。
【０１０３】
リーダ部１は、この信号をコネクタ１２０を介し外部Ｉ／Ｆ切り替え回路１１９に入力する。外部Ｉ／Ｆ切り替え回路１１９は、ファクシミリ部４からの信号をＹ信号生成・色検出回路１１３に入力する。Ｙ信号生成・色検出回路１１３からの出力信号は、前記したような処理をされた後、プリンタ部２に出力され出力用紙上に画像形成が行われる。
【０１０４】
〔ファイル部５との間の情報伝達によるコア部１０の動作〕
以下、コア部１０からファイル部５に情報を出力する場合について説明する。
【０１０５】
コア部１０のＣＰＵ１００３は、通信用ＩＣ１００２を介して、リーダ部１のＣＰＵ１２２と通信を行い、原稿スキャン命令を出す。リーダ部１は、この命令により原稿をスキャナユニット１０４がスキャンすることにより読み取り、画像情報をコネクタ１２０に出力する。
【０１０６】
リーダ部１と外部装置３は、ケーブルで接続されており、リーダ部１からの情報は、コア部１０のコネクタ１００１に入力される。コネクタ１００１に入力された画像情報は、バッファ１０１０を介して片方向の信号線１０５８に入力される。８ｂｉｔ多値の信号である信号線１０５８の信号はＬＵＴ１０１１によって所望する信号に変換される。ＬＵＴ１０１１の出力信号は信号線１０５９，セレクタ１０１３，セレクタ１０１４，セレクタ１０１６を介してコネクタ１００６に入力される。
【０１０７】
即ち、二値化回路１０１２および回転回路１０１５の機能を用いずに８ｂｉｔ多値のままファイル部５に転送される。ＣＰＵ１００３のＣＰＵバス１０５４を介してファイル部５との通信により二値化信号のファイリングを行う場合には、二値化回路１０１２，回転回路１０１５の機能を有する。二値化処理および回転処理は、上記したファクシミリ部４の場合と同様であるので省略する。
【０１０８】
次に、ファイル部５からの情報をコア部１０で受け取る場合について説明する。
【０１０９】
まず、ファイル部５からの画像情報はコネクタ１００６，信号線１０６４を介して、セレクタ１０１４がセレクタ１０１７に入力される。８ｂｉｔ多値のファイリングの場合はセレクタ１０１７へ、二値のファイリングの場合には、セレクタ１０１４または、１０１７に入力することが可能である。二値のファイリングの場合は、ファクシミリ部４と同様な処理であるので説明を省略する。
【０１１０】
多値のファイリングの場合セレクタ１０１７からの出力信号を信号線１０６５，セレクタ１０１９を介してＬＵＴ１０２０に二値化する。ＬＵＴ１０２０では、所望するプリント濃度に合わせてＣＰＵ１００３の指示によりルックアップテーブルを作成する。ＬＵＴ１０２０からの出力信号は信号線１０６８，セレクタ１０２１を介して拡大回路１０２２に入力される。
【０１１１】
拡大回路１０２２によって所望する拡大率に拡大した８ｂｉｔ多値信号１０７０は、バッファ１０１０，コネクタ１００１を介してリーダ部１に送られる。リーダ部１に送られたファイル部５の情報は、上記したファクシミリ部４と同様に、プリンタ部２に出力され出力用紙上に画像形成が行われる。
【０１１２】
〔コンピュータインタフェース部７との間の情報伝送によるコア部１０の動作〕
コンピュータインタフェース部７は、外部装置３に接続されるＰＣ／ＷＳ７Ａとのインタフェースを行う。コンピュータインタフェース部７のコネクタ７０７を介してコア部１０に転送された情報は、コネクタ１００７およびデータバス１０５４を介しＣＰＵ１００３に送られる。ＣＰＵ１００３は、送られてきた内容から各種の制御を行う。
【０１１３】
〔フォーマッタ部８との間の情報伝送によるコア部１０の動作〕
フォーマッタ部８は、例えば、上記コンピュータインタフェース部７からコア部１０を通して送られてきたＰＣ／ＷＳ７Ａからの文書ファイルなどのコマンドデータをイメージデータに展開する機能を有する。
【０１１４】
コア部１０のＣＰＵ１００３は、コンピュータインタフェース部７からデータバス１０５４を介して送られてきたデータが、フォーマッタ部８に関するデータであると判断すると、コネクタ１００８を介しデータをフォーマッタ部８に転送する。フォーマッタ部８は、転送されたデータから文字や図形などのように意味のある画像としてメモリに展開する。
【０１１５】
図６は、図１に示した画像形成装置のフォーマッタ部８の構成を説明するブロック図である。
【０１１６】
図において、８００はコネクタで、コア部１０と接続される。８０３はデュアルポートメモリで、コネクタ８００からデータバスライン８５３を介して転送されるＰＳ／ＷＳ７Ａからのコードデータ（コンピュータインタフェース７およびコア部１０を介して転送されたコードデータ）を格納する。８０９はＣＰＵで、デュアルポートメモリ８０３を介してＰＳ／ＷＳ７Ａから送られてきたコードデータをＣＰＵバス８５７を介して受け取り、このコードデータを一旦メモリ８０５に貯えた後、順次イメージデータに展開し、メモリコントローラ８０８を介してメモリＡ８０６、またはメモリＢ８０７にイメージデータを転送する。
【０１１７】
メモリＡ８０６およびメモリＢ８０７は、各１Ｍｂｙｔｅｓの容量を持ち、１つのメモリ（メモリＡ８０６またはメモリＢ８０７）で３００ｄｐｉの解像度でＡ４の用紙サイズのデータまで対応する（格納可能である）。なお、メモリＡ８０６およびメモリＢ８０７は、それぞれデータバスライン８５８，８５９でメモリコントローラ８０８と接続される。
【０１１８】
メモリコントローラ８０８は、メモリＡ８０６およびメモリＢ８０７をＣＰＵ８０９からの指示により制御する。また、例えば、３００ｄｐｉの解像度でＡ３用紙まで対応する場合には、メモリＡ８０６とメモリＢ８０７をカスケード接続してイメージデータを展開するよう制御する。
【０１１９】
また、８０４は回転回路で、イメージデータの展開の際、文字や図形などの回転が必要な場合に、イメージデータを回転した後メモリＡ８０６、またはメモリＢ８０７に転送する。
【０１２０】
また、メモリコントローラ８０８は、ＣＰＵ８０９からの制御により、メモリＡ８０６またはメモリＢ８０７にイメージデータの展開が終了すると、メモリＡ８０６のデータバスライン８５８、またはメモリＢ８０７のデータバスライン８５９をメモリコントローラ８０８の出力ライン８５１に接続する。
【０１２１】
８０２はタイミング生成回路で、コネクタ８００および信号線８５２を介して入力されるコア部１０からの信号に応じてメモリコントローラ８０８にメモリＡ８０６、またはメモリＢ８０７からの画像情報を読み出すためのタイミング信号を信号線８５６を介してメモリコントローラ８０８に出力する。
【０１２２】
コネクタ８００は、信号ライン８５１を介して転送されるメモリコントローラ８０８からの出力画像情報をコア部１０に転送する。
【０１２３】
なお、メモリ８０５は、内部にＣＰＵ８０９が実行するプログラムを記憶したプログラムメモリを備えている。
【０１２４】
以下、各部の動作について説明する。
【０１２５】
まず、コンピュータインタフェース部７からのデータは、コア部１０で判別され、フォーマッタ部８に関するデータである場合には、コア部１０のＣＰＵ１００３は、コア部１０のコネクタ１００８およびフォーマッタ部８のコネクタ８００を介してコンピュータからのデータをデュアルポートメモリ８０３に転送する。
【０１２６】
フォーマッタ部８のＣＰＵ８０９は、デュアルポートメモリ８０３を介してコンピュータから送られてきたコードデータを受け取る。ＣＰＵ８０９は、このコードデータを一旦メモリ８０５に貯えた後、順次イメージデータに展開し、メモリコントローラ８０８を介してメモリＡ８０６、またはメモリＢ８０７にイメージデータを転送する。
【０１２７】
また、イメージデータの展開の際、文字や図形などの回転が必要な場合には、回転回路８０４にて回転したのちメモリＡ８０６、またはメモリＢ８０７に転送する。メモリＡ８０６またはメモリＢ８０７にイメージデータの展開が終了すると、ＣＰＵ８０９は、メモリコントローラ８０８を制御しメモリＡ８０６のデータバスライン８５８、またはメモリＢ８０７のデータバスライン８５９をメモリコントローラ８０８の出力ライン８５１に接続する。
【０１２８】
次に、ＣＰＵ８０９は、デュアルポートメモリ８０３を介しコア部１０のＣＰＵ１００３と通信を行いメモリＡ８０６、またはメモリ８０７から画像情報を出力するモードに設定する。コア部１０のＣＰＵ１００３は、コア部１０内の通信回路１００２を介しリーダ部１のＣＰＵ１２２に内蔵している通信機能を用いてＣＰＵ１２２にプリント出力モードを設定する。
【０１２９】
以下、プリント出力モード設定時の各部の動作について説明する。
【０１３０】
まず、プリント出力モードが設定されると、コア部１０のＣＰＵ１００３は、コネクタ１００８、およびフォーマッタ部８のコネクタ８００を介してタイミング生成回路８０２に起動をかける。タイミング生成回路８０２は、コア部１０からの信号に応じてメモリコントローラ８０８にメモリＡ８０６、またはメモリＢ８０７からの画像情報を読み出すためのタイミング信号を発生する。
【０１３１】
メモリＡ８０６またはメモリＢ８０７からの画像情報は、信号ライン８５８を介しメモリコントローラ８０８に入力される。メモリコントローラ８０８からの出力画像情報は、信号ライン８５１およびコネクタ８００を介してコア部１０に転送される。コア部１０からプリンタ部への出力に関しては、コア部１０での説明と同様であるので省略する。
【０１３２】
次にフォーマッタ部８からの情報を受け取り、出力用紙上に画像形成を行う手順について説明する。
【０１３３】
フォーマッタ部８からの画像情報は、コネクタ１００８を介して信号ライン１０６４に２つの値（「００Ｈ」，「ＦＦＨ」）を有する多値信号として伝送される。信号線１０６４の信号は、セレクタ１０１４，セレクタ１０１７に入力される。ＣＰＵ１００３は、セレクタ１０１４および１０１７を制御する。以後、上記のファクシミリ部４の場合と同様であるので説明は省略する。
【０１３４】
次に、フォーマッタ部８を用いて、複数サイズの用紙が混在され、両面印字指定された書類を印刷する際の動作について、特に画像の描画方向に注目して説明する。
【０１３５】
外部のＰＣ／ＷＳ７Ａおよびリーダ部１（操作部１２４）は、本画像形成装置にて両面出力したい複数ページからなる書類に対し、両面モードとして「短辺綴じ両面モード」もしくは「長辺綴じ両面モード」を選択指定可能であり、さらに、各ページ毎に「用紙サイズ」（Ａ３，Ａ４，Ｂ４，Ｂ５等）と、描画方向（ポートレート描画、ランドスケープ描画）を選択可能である。また、上記両面モードにステイプル処理を指定して、出力される用紙に対してステイプラ２２１により、ステイプル処理することも可能である。
【０１３６】
この場合、ＰＣ／ＷＳ７Ａから送られる複数ページの画像形成に必要なデータは、インタフェース部７を通じてコア部１０を経由して、フォーマッタ部８に渡される。また、リーダ部１のＣＣＤ１０９により読み取られた画像データおよび操作部１２４により指定された各指定データ等により構成される複数ページの画像形成に必要なデータは、リーダ部１からコア部１０を経由して、フォーマッタ部８に渡される。
【０１３７】
次に、フォーマッタ部８では、前述の手順により１ジョブ分のデータをうけとると、一旦メモリ８０５にデータを貯え印字動作（以下、図７に示す）を行う。
【０１３８】
以下、図７のフローチャートを参照して、本発明に係る画像形成装置の第１の印字制御動作について説明する。
【０１３９】
図７は、本発明に係る画像形成装置の第１の印刷制御手順を説明するフローチャートであり、フォーマッタ部８のＣＰＵ８０９が外部からデータを受け取り、メモリ８０５に貯えた時点で、メモリ８０５に格納されるプログラムに基づいて実行する。なお、（１）〜（１７）は各ステップを示す。
【０１４０】
まず、フォーマッタ部８のメモリ８０５に１ジョブ分のデータが貯えられると、前記ジョブにより印字される書類が両面印字のページを含んでいるか否かを判断し（１）、両面印字のページを含んでいないと判定された場合は、通常の印字を行い（１７）、本フローチャートの処理を終了し、次のデータを待ち受ける状態に戻る。
【０１４１】
一方、ステップ（１）で、前記ジョブにより印字される書類が両面印字のページを含んでいると判定された場合は、複数の用紙サイズが含まれているか否かを判定し（２）、複数の用紙サイズが含まれていないと判定された場合は、通常の印刷を行い（１７）、本フローチャートの処理を終了し、次のデータを待ち受ける状態に戻る。
【０１４２】
一方、ステップ（２）で、前記ジョブにより印字される書類が複数の用紙サイズが含まれていると判定された場合は、カレントページを表わす変数Ｎに１を代入し（３）、Ｎページ目が両面データか否かを判定し（４）、両面データでない（片面データ）と判定された場合は、Ｎページ目を指定された片面モードで印刷し（８）、ステップ（１３）の処理に進む。
【０１４３】
一方、ステップ（４）でＮページ目が両面データと判定された場合は、指定された両面モードはロングエッジバインド（長辺綴じ両面モード）か否かを判定し（５）、ロングエッジバインドと判定された場合は、Ｎページ目がショートエッジフィード（短辺フィード）の用紙サイズか否かを判定する（６）。
【０１４４】
ここで、ショートエッジフィードの用紙サイズとは、例えばＡ３サイズ，Ｂ４サイズなどであり、ロングエッジフィード（長辺フィード）の用紙サイズとは、例えばＡ４サイズ，Ｂ５サイズなどである。
【０１４５】
なお、従来の技術の欄において、図１６を用いて説明したように、ショートエッジフィードとは、即ち用紙の短辺側を先頭に搬送するモードであり、ロングエッジフィードとは、即ち用紙の長辺側を先頭にして搬送するモードである。（図１６参照）。
【０１４６】
ステップ（６）でＮページ目がショートエッジフィードの用紙サイズと判定された場合は、Ｎページ目をショートエッジバインド（短辺綴じ両面モード）で印刷し（９）、ステップ（１３）の処理に進む。
【０１４７】
一方、ステップ（６）でＮページ目がショートエッジフィードの用紙サイズでない（ロングエッジフィードの用紙サイズ）と判定された場合は、Ｎページ目を指定された両面モードで印刷し（１０）、ステップ（１３）の処理に進む。
【０１４８】
一方、ステップ（５）で指定された両面モードがロングエッジバインド（長辺綴じ両面モード）でない即ちショートエッジバインド（短辺綴じ両面モード）と判定された場合は、Ｎページ目がショートエッジフィードの用紙サイズか否かを判定し（７）、Ｎページ目がショートエッジフィードの用紙サイズと判定された場合は、Ｎページ目を指定された両面モードで印刷し（１１）、ステップ（１３）の処理に進む。
【０１４９】
一方、ステップ（７）でＮページ目がショートエッジフィードの用紙サイズでない（ロングエッジフィードの用紙サイズ）と判定された場合は、Ｎページ目をロングエッジバインド（長辺綴じ両面モード）で印刷し（１２）、ステップ（１３）の処理に進む。
【０１５０】
次に、Ｎページ目の印刷処理を行った後、Ｎページが最終ページか否かを判定し（１３）、最終ページでないと判定された場合は、カレントページを表わす変数Ｎをインクリメントし（１４）、ステップ（４）の処理に戻る。
【０１５１】
一方、ステップ（１３）でＮページが最終ページであると判定された場合は、綴じ処理（ステイプル処理）が指定されているか否かを判定し（１５）、綴じ処理が指定されていると判定された場合は、指定された綴じ処理を行い（１６）、本フローチャートの処理を終了し、次のデータを待ち受ける状態に戻る。
【０１５２】
一方、ステップ（１５）で綴じ処理が指定されていないと判定された場合は、本フローチャートの処理を終了し、次のデータを待ち受ける状態に戻る。
【０１５３】
以上の処理により、用紙サイズの異なる紙を同一の両面モードを指定して印刷する際にも、綴じ方向に関してつじつまのあった印刷を行うことができる。
【０１５４】
なお、上記ステップ（９），（１２）では、画像データを１つのジョブに含まれる複数の画像データと共に受信した画像データ毎に対応する回転指定データに従わないように制御し、画像データに対する回転処理を回転指定データに基づくことなく行う。
【０１５５】
一方、それ（上記ステップ（９），（１２））以外の上記ステップ（１０），（１１）では、画像データを回転指定データには従うように制御し、画像データに対する回転処理を回転指定データに基づいて行う。
【０１５６】
また、この結果、回転指定データに基づくことなく回転処理を行う場合の画像の向きと、前記回転指定データに基づいて回転処理を行う場合の画像の向きは１８０度異なるものとなる（例えば、後述する図１０（ｃ），（ｄ）を参照）。
【０１５７】
図８は、図７に示した画像印刷制御手順による印刷結果を示す模式図である。
【０１５８】
図に示す書類は、８ページの書類で、１〜４ページまでをＡ４ポートレートのデータ，５〜８ページ目までをＡ３ランドスケープのデータとして、指定して出力を行った場合の出力結果である。
【０１５９】
（ａ）は出力結果を束ねた状態を示し、（ｂ）は（ａ）に示した出力結果を束ねた状態から６，７ページ目を開いた状態を示し、図のように、Ａ４サイズ，Ａ３サイズが混載する場合に、綴じ機能を実行した場合にも、印字方向に矛盾のない最適な両面印字が行われている。
【０１６０】
以上により、用紙サイズ混載時にも最適な両面印字が可能なように、書類全体に対し、両面の描画を、ショートエッジバインド、またはロングエッジバインドのどちらか一方で指定する場合でも、用紙サイズにより、指定された両面の描画方向を無視して描画することで、最適の綴じ機能を提供することができる。
【０１６１】
なお、上述の図７のフローチャートに示した処理を行うということは、即ち、小サイズ頁（例えば、Ａ４サイズの頁）と大サイズ頁（例えば、Ａ３サイズの頁）が混在するジョブに関して、両面印刷かつ綴じ辺の印刷指示がなされた場合に、ドライバから出力される頁毎の回転指定のうち、所定の頁に関しては、その回転指定には従わないということである。以下、図９〜図１３１３を用いて詳細に説明する。
【０１６２】
図９は、小サイズ頁（例えば、Ａ４サイズの頁）と大サイズ頁（例えば、Ａ３サイズの頁）が混在するジョブに関して、両面印刷かつ綴じ辺の印刷指示画面の一例を示す模式図であり、（ａ）は原稿サイズを「Ａ４」、印刷の向きを「縦」、即ち「Ａ４縦」と設定する場合に対応し、（ｂ）は原稿サイズを「Ａ３」、印刷の向きを「横」、即ち「Ａ３横」と設定する場合に対応し、（ｃ）は印字面を「両面」、綴じ方向を「長辺綴じ１（左長辺または上長辺綴じ）」、即ち「長辺綴じ両面モード」に設定する場合に対応する。
【０１６３】
例えば、プリンタドライバを有する図１に示したＰＣ／ＷＳ７Ａにおいて、ユーザがワープロソフトを用いて４頁分の文書を作成したとする。
【０１６４】
そして、ワープロソフト上のページ設定画面にて、該文書の１頁目と２頁目の原稿サイズ及び向きをＡ４縦と設定し（図９（ａ）参照）、３頁目と４頁目の原稿サイズ及び向きをＡ３横と設定したとする（図９（ｂ）参照）。
【０１６５】
次に、図９（ｃ）に示すように、ＰＣ／ＷＳ７Ａのプリンタドライバの設定画面において、Ａ４縦２頁、Ａ３横２頁が混在する計４頁の文書に対して、両面印刷で、かつ長辺綴じ設定、即ち、長辺綴じ両面モードとユーザが設定したとする。
【０１６６】
このように、１つのジョブにおいて、用紙サイズの設定を、ワープロソフト上の設定画面において、ページ毎（１頁目，２頁目，３頁目，４頁目）に行うこと、および、長辺綴じ両面モードまたは短辺綴じ両面モードの設定を、プリンタドライバの設定画面において、１ジョブ毎に行うことを、それぞれユーザが独立設定可能となっている。
【０１６７】
上記４頁の文書を記録紙上に形成する際は、１頁目の画像を１枚目の記録紙の表面（第１面）に、２頁目の画像を１枚目の記録紙の裏面（第２面）に形成し、３頁目の画像を２枚目の記録紙の表面（第１面）に、４頁目の画像を２枚目の記録紙の裏面（第２面）に形成する。
【０１６８】
また、出力用紙のサイズ（即ち、記録紙のサイズ）に関して、ユーザがワープロソフト上で作成したデータを忠実に再現するよう、ユーザにより出力用紙の指定が無い限り、原稿サイズに基づいて、最適なサイズを自動選択する。
【０１６９】
この場合、１枚目の記録紙（以下、記録紙Ａ）のサイズを１頁目および２頁目の原稿サイズと同じＡ４とし、２枚目の記録紙（以下、記録紙Ｂ）のサイズを３頁目および４頁目の原稿サイズと同じＡ３とする。
【０１７０】
ユーザにより設定された動作モードが、長辺綴じ両面モードの場合、ドライバは、画像形成すべきシートの長辺側を綴じ方向とし、該綴じ方向に基づいて、シートの両面に画像形成するようプリンタ側にドライバ指示を画像データと共に出力する。
【０１７１】
以下、図１０〜図１３を参照して、図１に示したＰＣ／ＷＳ７Ａ上のドライバより画像形成装置に送出されるプリンタジョブに含まれる画像データおよび回転指定データについて説明する。なお、以下、「長辺とじ」としては図９（ｃ）の「長辺とじ１」，「短辺とじ」としては図９（ｃ）の「短辺とじ１」を用いて説明するが、図９（ｃ）の「長辺とじ２」，「短辺とじ２」の場合も同様である。
【０１７２】
図１０は、各種モードが選択（指定）された場合の処理を説明する模式図であり、Ａ４縦２頁，Ａ３横２頁が混在する計４頁の文書に対して、両面・ロングエッジバインド（長辺綴じ両面モード）するモードが指定された場合（図９（ｃ）で印字面：両面，とじ方向：長辺とじ１指定）に対応する。
【０１７３】
まず、ＰＣ／ＷＳ７Ａ上のドライバ側の画像の回転指定について説明する。
【０１７４】
図１０の（ａ）は、ＰＣ／ＷＳ７Ａ上で実行されるワープロソフトで作成した文書を示し、例えばＡ４縦２頁，Ａ３横２頁が混在する計４頁の文書に対応する（図９参照）。
【０１７５】
図１０の（ｂ）は、両面・ロングエッジバインド（長辺綴じ両面モード）設定によるドライバの指示を示す。
【０１７６】
なお、出力紙としての記録紙Ａは、ロングエッジフィードのシート、即ち、シートの長辺側を先頭にして搬送されるタイプのシートとし、記録紙Ｂは、ショートエッジフィードのシート、即ち、シートの短辺側を先頭にして搬送されるタイプのシートとする。
【０１７７】
具体的には、１枚目の記録紙Ａの長辺は、第１面を基準とした場合に、該シートの左側（左端部）であるため、ユーザが、記録紙Ａの第１面から、その左端部（綴じ辺）を軸にして裏返して、記録紙Ａの第２面を見た場合に、２頁目の画像が正立状態で形成されるよう、１頁目の画像の回転指定を０度とし、同様に、２頁目の画像の回転指定も０度とし、これら画像の回転指定がドライバの指示としてプリンタ側に出力される。
【０１７８】
一方、２枚目の記録紙Ｂの長辺は、第１面を基準とした場合に、該シートの上側（上端部）である。従って、ユーザが、記録紙Ｂの第１面から、その上端部を基準にして、第２面に裏返し、該記録紙Ｂの第２面を見た際に、４頁目の画像が正立状態で形成されるよう、３頁目の画像の回転指定は０度とし、４頁目の画像の回転指定を１８０度とし、これら画像の回転指定がドライバの指示としてプリンタ側に出力される。
【０１７９】
このように、ドライバからの画像の回転指定は、各頁毎（この場合、１頁，２頁，３頁，４頁）に設定される。
【０１８０】
次に、プリンタ側の処理について説明する。
【０１８１】
図１０の（ｃ）は、図１０の（ｂ）に示したドライバから指示に基づいて画像の回転処理を行い、画像形成処理を行った場合の出力結果（記録紙Ａ，Ｂ）、図１０の（ｄ）は、所定の頁の回転指定に関しては図１０の（ｂ）に示したドライバ指示に従わず、画像形成処理を行った場合の出力結果（記録紙Ａ，Ｂ）を示し、これら記録紙Ａ，Ｂを仮に、ユーザが１つのシート束としてまとめた場合のシート束の状態を示す。
【０１８２】
サイズが異なる複数のシートを１つのシート束としてまとめる場合、例えば綴じ方向の長さが一致する方向に各シートの向きを揃えることが考えられる。
【０１８３】
即ち、この場合、記録紙Ａの長辺方向の長さと、記録紙Ｂの短辺方向の長さが一致するので、記録紙Ａの長辺と記録紙Ｂの短辺が重なり合うよう各記録紙の向きが揃えられる（図１０（ｃ）、（ｄ）参照）。
【０１８４】
これは、ユーザが自らまとめる場合に限らず、プリンタ側で自動的に処理（例えば、記録紙Ａの長辺と記録紙Ｂの短辺が重なり合うよう各記録紙の向きを揃えて出力する）する場合であっても同じようにまとめられると考えられる。
【０１８５】
これにより、該シート束の綴じ方向は、第１面を基準にして見た場合に、シートの左側（左端部）となり、記録紙Ａ，Ｂを１つのシート束としてまとめた場合において、記録紙Ａの綴じ方向は長辺方向であり、ドライバ設定において決められた綴じ方向と同一方向であるが、記録紙Ｂの綴じ方向は短辺方向であり、ドライバ設定において決められた綴じ方向（長辺方向）と異なってしまう。
【０１８６】
一方、ドライバからプリンタに出力される画像の回転指定は、ドライバで設定された綴じ方向に基づいた回転指定であり、例えば図１０（ｂ）に示したように、設定された綴じ方向は長辺方向であり、長辺方向に基づいて、それぞれ頁毎に回転指示がプリンタに出力される。
【０１８７】
このように、ドライバ側で設定された綴じ方向とは異なる綴じ方向で、記録紙Ｂは揃えられるべきであるにも係らず、ドライバの指示どおり、各頁毎に画像の回転処理を行い画像形成した場合、図１０（ｃ）に示すように、記録紙Ｂの第２面に形成された４頁目の画像の向きが、その他の面に形成された画像の向きと１８０度異なってしまい、ユーザがシート束の左端部を基準にして一枚ずつ記録紙をめくり、４頁目の画像を見た場合に、他の画像の向きと上下逆さまとなり、見づらくなってしまうという不具合を生じる。
【０１８８】
本実施形態では、このような不具合が生じることを防止する為に、ドライバから出力される各頁毎の回転指定のうち、所定の頁に関する回転指定（ここでは、４頁目の画像に対する１８０度の回転指定）には従わず、その他の頁に関する回転指定には従うようＣＰＵ８０９により制御する。
【０１８９】
例えば、この場合、図１０の（ｂ）に示したようにドライバから記録紙Ｂの第２面に形成すべき４頁目の画像の回転指定として、１８０度回転させる指示がプリンタ側に出力されたが、プリンタ側では、該頁に対応するドライバからの回転指定には従わずに、４頁目の画像に対する回転処理を行うことなく、そのまま記録紙Ｂの第２面に４頁目の画像を形成するよう制御する。
【０１９０】
一方、１頁目，２頁目，３頁目の画像の回転指定には従い、１頁目，２頁目，３頁目の各頁毎に対応する回転指定に基づいて、それぞれ画像の回転処理を行うよう制御する。
【０１９１】
即ち、ＣＰＵ８０９は、綴じ方向を整合させる処理として、記録紙Ａの長辺と記録紙Ｂの短辺が重なり合うよう各記録紙の向きが揃えられることを予想して、ドライバから出力された所定の頁に関する回転指定データを無視して、プリンタ側で新たに回転指定データを設定し直し、該回転指定データに応じて画像の回転処理を行う。
【０１９２】
なお、予想するにあたりＣＰＵ８０９は、該文書の原稿サイズや画像の向き、記録紙のサイズ、画像形成すべき記録紙の長辺方向及び短辺方向の長さ等に関するデータを取得し、予めメモリに記憶されたテーブルを参照して、１つの束としてまとめられた際のシート束の綴じ方向を判断し（この場合、左端部）、また、その際の各シートの綴じ方向を調べ（例えば、この場合、記録紙Ａの綴じ方向はドライバの設定と同じ長辺方向であると判断し、記録紙Ｂの綴じ方向はドライバの設定とは異なる短辺方向であると判断し）、これらを基に、画像データ毎に対応する回転指定データを設定する。
【０１９３】
例えば、この場合、ドライバ側で１８０度と設定された４頁目の画像の回転指定を、プリンタ側で０度と設定し直す。
【０１９４】
以上により、図１０（ｄ）に示したように、記録紙Ｂの第２面に形成された４頁目の画像の向きは、その他の面に形成された画像の向きと同一方向となるので、ユーザがシート束の左端部を基準にして一枚ずつ記録紙をめくり、４頁目の画像を見た際に、他の画像の向きと上下逆さまで、見づらくなるという不具合が生じることを防止できる。
【０１９５】
図１１は、各種モードが選択（指定）された場合の処理を説明する模式図であり、Ａ４横２頁，Ａ３縦２頁が混在する計４頁の文書に対して、両面・ロングエッジバインド（長辺綴じ両面モード）するモードが指定された場合（図９（ｃ）で印字面：両面，とじ方向：長辺とじ１指定）に対応する。なお、ここでは、出力紙としての記録紙Ａはショートエッジフィード，Ｂはロングエッジフィードのシートとする。
【０１９６】
まず、ＰＣ／ＷＳ７Ａ上のドライバ側の画像の回転指定について説明する。
【０１９７】
図１１（ａ）は、ＰＣ／ＷＳ７Ａ上で実行されるワープロソフトで作成した文書を示し、ここではＡ４横２頁，Ａ３縦２頁が混在する計４頁の文書に対応する。
【０１９８】
図１１（ｂ）は、両面・ロングエッジバインド（長辺綴じ両面モード）設定によるドライバの指示を示す。
【０１９９】
具体的には、１枚目の記録紙Ａの長辺は、第１面を基準とした場合に、該シートの上側（上端部）であるため、ユーザが、記録紙Ａの第１面から、その上端部（綴じ辺）を軸にして裏返して、記録紙Ａの第２面を見た場合に、２頁目の画像が正立状態で形成されるよう、１頁目の画像の回転指定を０度とし、２頁目の画像の回転指定を１８０度とし、これら画像の回転指定がドライバの指示としてプリンタ側に出力される。
【０２００】
一方、２枚目の記録紙Ｂの長辺は、第１面を基準とした場合に、該シートの左側（左端部）である。従って、ユーザが、記録紙Ｂの第１面から、その左端部を基準にして、第２面に裏返し、該記録紙Ｂの第２面を見た際に、４頁目の画像が正立状態で形成されるよう、３頁目の画像の回転指定は０度とし、同様に４頁目の画像の回転指定を０度とし、これら画像の回転指定がドライバの指示としてプリンタ側に出力される。
【０２０１】
このように、ドライバからの画像の回転指定は、各頁毎（この場合、１頁，２頁，３頁，４頁）に設定される。
【０２０２】
次に、プリンタ側の処理について説明する。
【０２０３】
図１１（ｃ）は、図１１（ｂ）に示したドライバから指示に基づいて画像の回転処理を行い、画像形成処理を行った場合の出力結果（記録紙Ａ，Ｂ）、図１１１１（ｄ）は、所定の頁の回転指定に関しては（ｂ）に示したドライバ指示に従わず、画像形成処理を行った場合の出力結果（記録紙Ａ，Ｂ）を示し、これら記録紙Ａ，Ｂを仮に、ユーザが１つのシート束としてまとめた場合のシート束の状態を示す。
【０２０４】
上述したように、サイズが異なる複数のシートを１つのシート束としてまとめる場合、例えば、綴じ方向の長さが一致する方向に各シートの向きを揃えることが考えられる。
【０２０５】
この場合、記録紙Ａの長辺方向の長さと、記録紙Ｂの短辺方向の長さが一致するので、記録紙Ａの長辺と記録紙Ｂの短辺が重なり合うよう各記録紙の向きが揃えられる（図１１（ｃ）、（ｄ）参照）。
【０２０６】
これにより、該シート束の綴じ方向は、第１面を基準にして見た場合に、シートの上側（上端部）となり、記録紙Ａ，Ｂを１つのシート束としてまとめた場合において、記録紙Ａの綴じ方向は長辺方向であり、ドライバ設定において決められた綴じ方向と同一方向であるが、記録紙Ｂの綴じ方向は短辺方向であり、ドライバ設定において決められた綴じ方向（長辺方向）と異なってしまう。
【０２０７】
一方、ドライバからプリンタに出力される画像の回転指定は、ドライバで設定された綴じ方向に基づいた回転指定であり、例えば図１１（ｂ）に示したように、設定された綴じ方向は長辺方向であり、長辺方向に基づいて、それぞれ頁毎に回転指示がプリンタに出力される。
【０２０８】
このように、ドライバ側で設定された綴じ方向とは異なる綴じ方向で、記録紙Ｂは揃えられるべきであるにも係らず、ドライバの指示どおり、各頁毎に画像の回転処理を行い画像形成した場合、図１１（ｃ）に示すように、記録紙Ｂの第２面に形成された４頁目の画像の向きが、その他の面に形成された画像の向きと１８０度異なってしまい、ユーザがシート束の上端部を基準にして一枚ずつ記録紙をめくり、４頁目の画像を見た場合に、他の画像の向きと上下逆さまとなり、見づらくなってしまうという不具合を生じる。
【０２０９】
本実施形態では、このような不具合が生じることを防止する為に、ドライバから出力される各頁毎の回転指定のうち、所定の頁に関する回転指定（ここでは、４頁目の画像に対する０度の回転指定）には従わず、その他の頁に関する回転指定には従うようＣＰＵ８０９により制御する。
【０２１０】
例えば、この場合、（ｂ）に示したようにドライバから記録紙Ｂの第２面に形成すべき４頁目の画像の回転指定として、０度回転させる（即ち、回転しない）指示がプリンタ側に出力されたが、プリンタ側では、該頁に対応するドライバからの回転指定には従わずに、ドライバからの回転指定に基づかない独自の回転処理として、４頁目の画像を１８０度回転処理して、記録紙Ｂの第２面に画像形成するよう制御する。
【０２１１】
一方、１頁目，２頁目，３頁目の画像の回転指定には従い、１頁目，２頁目，３頁目の各頁毎に対応する回転指定に基づいて、それぞれ画像の回転処理を行うよう制御する。
【０２１２】
即ち、ＣＰＵ８０９は、綴じ方向を整合させる処理として、記録紙Ａの長辺と記録紙Ｂの短辺が重なり合うよう各記録紙の向きが揃えられることを予想して、ドライバから出力された所定の頁に関する回転指定データを無視して、プリンタ側で新たに回転指定データを設定し直し、該回転指定データに応じて独自の画像の回転処理を行う。
【０２１３】
なお、予想するにあたりＣＰＵ８０９は、該文書の原稿サイズや画像の向き、記録紙のサイズ、画像形成すべき記録紙の長辺方向及び短辺方向の長さ等に関するデータを取得し、予めメモリに記憶されたテーブルを参照して、１つの束としてまとめられた際のシート束の綴じ方向を判断し（この場合、上端部）、また、その際の各シートの綴じ方向を調べ（例えば、この場合、記録紙Ａの綴じ方向はドライバの設定と同じ長辺方向であると判断し、記録紙Ｂの綴じ方向はドライバの設定とは異なる短辺方向であると判断し）、これらを基に、ドライバから出力された所定の頁に関する回転指定データを無視して、プリンタ側で新たに回転指定データを設定し直し、該回転指定データに応じて画像の回転処理を行う。例えば、この場合、ドライバ側で０度と設定された４頁目の画像の回転指定をプリンタ側で１８０度と設定し直し、４頁目の画像を１８０度回転させる処理を行い、処理した４頁目の画像を記録紙Ｂの第２面に形成する。
【０２１４】
以上により、図１１（ｄ）に示したように、記録紙Ｂの第２面に形成された４頁目の画像の向きは、その他の面に形成された画像の向きと同一方向となるので、ユーザがシート束の上端部を基準にして一枚ずつ記録紙をめくり、４頁目の画像を見た際に、他の画像の向きと上下逆さまで、見づらくなるという不具合が生じることを防止できる。
【０２１５】
図１２は、各種モードが選択（指定）された場合の処理を説明する模式図であり、Ａ４縦２頁、Ａ３横２頁が混在する計４頁が混在する計４頁の文書に対して両面・ショートエッジバインド（短辺綴じ両面モード）するモードが指定（図９（ｃ）で印字面：両面，とじ方向：短辺１指定）された場合に対応する。なお、出力紙としての記録紙Ａはロングエッジフィード、Ｂはショートエッジフィードのシートとする。
【０２１６】
まず、ＰＣ／ＷＳ７Ａ上のドライバ側の画像の回転指定について説明する。
【０２１７】
図１２（ａ）は、ＰＣ／ＷＳ７Ａ上で実行されるワープロソフトで作成した文書を示し、例えばＡ４縦２頁，Ａ３横２頁が混在する計４頁の文書に対応する。
【０２１８】
図１２（ｂ）は、両面・ショートエッジバインド（短辺綴じ両面モード）設定によるドライバの指示を示す。
【０２１９】
具体的には、１枚目の記録紙Ａの短辺は、第１面を基準とした場合に、該シートの上側（上端部）であるため、ユーザが、記録紙Ａの第１面から、その上端部（綴じ辺）を軸にして裏返して、記録紙Ａの第２面を見た場合に、２頁目の画像が正立状態で形成されるよう、１頁目の画像の回転指定を０度とし、２頁目の画像の回転指定を１８０度とし、これら画像の回転指定がドライバの指示としてプリンタ側に出力される。
【０２２０】
一方、２枚目の記録紙Ｂの長辺は、第１面を基準とした場合に、該シートの左側（左端部）である。従って、ユーザが、記録紙Ｂの第１面から、その左端部を基準にして、第２面に裏返し、該記録紙Ｂの第２面を見た際に、４頁目の画像が正立状態で形成されるよう、３頁目の画像の回転指定は０度とし、同様に４頁目の画像の回転指定を０度とし、これら画像の回転指定がドライバの指示としてプリンタ側に出力される。
【０２２１】
このように、ドライバからの画像の回転指定は、各頁毎（この場合、１頁，２頁，３頁，４頁）に設定される。
【０２２２】
次に、プリンタ側の処理について説明する。
【０２２３】
図１２（ｃ）は、図１２（ｂ）に示したドライバから指示に基づいて画像の回転処理を行い、画像形成処理を行った場合の出力結果（記録紙Ａ，Ｂ）、図１２１２（ｄ）は、所定の頁の回転指定に関しては図１２（ｂ）に示したドライバ指示に従わず、画像形成処理を行った場合の出力結果（記録紙Ａ，Ｂ）を示し、これら記録紙Ａ，Ｂを仮に、ユーザが１つのシート束としてまとめた場合のシート束の状態を示す。
【０２２４】
上述したように、サイズが異なる複数のシートを１つのシート束としてまとめる場合、例えば、綴じ方向の長さが一致する方向に各シートの向きを揃えることが考えられる。
【０２２５】
この場合、記録紙Ａの長辺方向の長さと、記録紙Ｂの短辺方向の長さが一致するので、記録紙Ａの長辺と記録紙Ｂの短辺が重なり合うよう各記録紙の向きが揃えられる（図１２（ｃ）、（ｄ）参照）。
【０２２６】
これにより、該シート束の綴じ方向は、第１面を基準にして見た場合に、シートの左側（左端部）となり、記録紙Ａ，Ｂを１つのシート束としてまとめた場合において、記録紙Ｂの綴じ方向は短辺方向であり、ドライバ設定において決められた綴じ方向と同一方向であるが、記録紙Ａの綴じ方向は長辺方向であり、ドライバ設定において決められた綴じ方向（短辺方向）と異なってしまう。
【０２２７】
一方、ドライバからプリンタに出力される画像の回転指定は、ドライバで設定された綴じ方向に基づいた回転指定であり、例えば図１２（ｂ）に示したように、設定された綴じ方向は短辺方向であり、短辺方向に基づいて、それぞれ頁毎に回転指示がプリンタに出力される。
【０２２８】
このように、ドライバ側で設定された綴じ方向とは異なる綴じ方向で、記録紙Ａは揃えられるべきであるにも係らず、ドライバの指示どおり、各頁毎に画像の回転処理を行い画像形成した場合、図１２（ｃ）に示すように、記録紙Ａの第２面に形成された２頁目の画像の向きが、その他の面に形成された画像の向きと１８０度異なってしまい、ユーザがシート束の左端部を基準にして一枚ずつ記録紙をめくり、２頁目の画像を見た場合に、他の画像の向きと上下逆さまとなり、見づらくなってしまうという不具合を生じる。
【０２２９】
本実施形態では、このような不具合が生じることを防止する為に、ドライバから出力される各頁毎の回転指定のうち、所定の頁に関する回転指定（ここでは、２頁目の画像に対する１８０度の回転指定）には従わず、その他の頁に関する回転指定には従うようＣＰＵ８０９により制御する。
【０２３０】
例えば、この場合、図１２（ｂ）に示したようにドライバから記録紙Ａの第２面に形成すべき２頁目の画像の回転指定として、１８０度回転させる指示がプリンタ側に出力されたが、プリンタ側では、該頁に対応するドライバからの回転指定には従わずに、２頁目の画像を０度回転処理（即ち、回転なし）して記録紙Ａの第２面に画像形成するよう制御する。
【０２３１】
一方、１頁目，３頁目，４頁目の画像の回転指定には従い、１頁目，３頁目，４頁目の各頁毎に対応する回転指定に基づいて、それぞれ画像の回転処理を行うよう制御する。
【０２３２】
即ち、ＣＰＵ８０９は、綴じ方向を整合させる処理として、記録紙Ａの長辺と記録紙Ｂの短辺が重なり合うよう各記録紙の向きが揃えられることを予想して、ドライバから出力された所定の頁に関する回転指定データを無視して、プリンタ側で新たに回転指定データを設定し直し、該回転指定データに応じて独自の画像の回転処理を行う。
【０２３３】
なお、予想するにあたりＣＰＵ８０９は、該文書の原稿サイズや画像の向き、記録紙のサイズ、画像形成すべき記録紙の長辺方向及び短辺方向の長さ等に関するデータを取得し、予めメモリに記憶されたテーブルを参照して、１つの束としてまとめられた際のシート束の綴じ方向を判断し（この場合、左端部）、また、その際の各シートの綴じ方向を調べ（例えば、この場合、記録紙Ａの綴じ方向は、ドライバの設定とは異なる長辺方向であると判断し、記録紙Ｂの綴じ方向はドライバの設定と同じ長辺方向であると判断し）、これらを基に、ドライバから出力された所定の頁に関する回転指定データを無視して（所定の頁に関する回転指定には従わず、）、プリンタ側で新たに回転指定データを設定し直し、該回転指定データに応じて画像の回転処理を行う。例えば、この場合、ドライバ側で１８０度と設定された２頁目の画像の回転指定をプリンタ側で０度と設定し直し、２頁目の画像を０度回転させる処理を行い（２頁目の画像に対する回転処理を行うことなく、そのまま記録紙Ａの第２面に２頁目の画像を形成するよう制御する）、処理した２頁目の画像を記録紙Ａの第２面に形成する。
【０２３４】
以上により、図１２（ｄ）を参照に示したように、記録紙Ａの第２面に形成された２頁目の画像の向きは、その他の面に形成された画像の向きと同一方向となるので、ユーザがシート束の左端部を基準にして一枚ずつ記録紙をめくり、２頁目の画像を見た際に、他の画像の向きと上下逆さまで、見づらくなるという不具合が生じることを防止できる。
【０２３５】
図１３は、各種モードが選択（指定）された場合の処理を説明する模式図であり、Ａ４横２頁，Ａ３縦２頁が混在する計４頁の文書に対して、両面・ショートエッジバインド（短辺綴じ両面モード）するモードが指定された場合（図９（ｃ）で印字面：両面，とじ方向：短辺１指定）に対応する。なお、ここでは記録紙としての記録紙Ａはショートエッジフィード，記録紙Ｂはロングエッジフィードとする。
【０２３６】
まず、ＰＣ／ＷＳ７Ａ上のドライバ側の画像の回転指定について説明する。
【０２３７】
図１３（ａ）は、ＰＣ／ＷＳ７Ａ上で実行されるワープロソフトで作成した文書を示し、ここではＡ４横２頁，Ａ３縦２頁が混在する計４頁の文書に対応する。
【０２３８】
図１３（ｂ）は、両面・ショートエッジバインド（短辺綴じ両面モード）設定によるドライバの指示を示す。
【０２３９】
具体的には、１枚目の記録紙Ａの短辺は、第１面を基準とした場合に、該シートの左側（左端部）であるため、ユーザが、記録紙Ａの第１面から、その左端部（綴じ辺）を軸にして裏返して、記録紙Ａの第２面を見た場合に、２頁目の画像が正立状態で形成されるよう、１頁目の画像の回転指定を０度とし、同様に２頁目の画像の回転指定を０度とし、これら画像の回転指定がドライバの指示としてプリンタ側に出力される。
【０２４０】
一方、２枚目の記録紙Ｂの短辺は、第１面を基準とした場合に、該シートの上側（上端部）である。従って、ユーザが、記録紙Ｂの第１面から、その上端部を基準にして、第２面に裏返し、該記録紙Ｂの第２面を見た際に、４頁目の画像が正立状態で形成されるよう、３頁目の画像の回転指定は０度とし、４頁目の画像の回転指定を１８０度とし、これら画像の回転指定がドライバの指示としてプリンタ側に出力される。
【０２４１】
このように、ドライバからの画像の回転指定は、各頁毎（この場合、１頁，２頁，３頁，４頁）に設定される。
【０２４２】
次に、プリンタ側の処理について説明する。
【０２４３】
図１３（ｃ）は、図１３（ｂ）に示したドライバから指示に基づいて画像の回転処理を行い、画像形成処理を行った場合の出力結果（記録紙Ａ，Ｂ）、図１３１３（ｄ）は、所定の頁の回転指定に関しては図１３（ｂ）に示したドライバ指示に従わず、画像形成処理を行った場合の出力結果（記録紙Ａ，Ｂ）を示し、これら記録紙Ａ，Ｂを仮に、ユーザが１つのシート束としてまとめた場合のシート束の状態を示す。
【０２４４】
上述したように、サイズが異なる複数のシートを１つのシート束としてまとめる場合、例えば、綴じ方向の長さが一致する方向に各シートの向きを揃えることが考えられる。
【０２４５】
この場合、記録紙Ａの長辺方向の長さと、記録紙Ｂの短辺方向の長さが一致するので、記録紙Ａの長辺と記録紙Ｂの短辺が重なり合うよう各記録紙の向きが揃えられる（図１３（ｃ）、（ｄ）参照）。
【０２４６】
これにより、該シート束の綴じ方向は、第１面を基準にして見た場合に、シートの上側（上端部）となり、記録紙Ａ，Ｂを１つのシート束としてまとめた場合において、記録紙Ｂの綴じ方向は短辺方向であり、ドライバ設定において決められた綴じ方向と同一方向であるが、記録紙Ａの綴じ方向は長辺方向であり、ドライバ設定において決められた綴じ方向（短辺方向）と異なってしまう。
【０２４７】
一方、ドライバからプリンタに出力される画像の回転指定は、ドライバで設定された綴じ方向に基づいた回転指定であり、例えば図１３（ｂ）に示したように、設定された綴じ方向は短辺方向であり、短辺方向に基づいて、それぞれ頁毎に回転指示がプリンタに出力される。
【０２４８】
このように、ドライバ側で設定された綴じ方向とは異なる綴じ方向で、記録紙Ａは揃えられるべきであるにも係らず、ドライバの指示どおり、各頁毎に画像の回転処理を行い画像形成した場合、図１３（ｃ）に示すように、記録紙Ａの第２面に形成された２頁目の画像の向きが、その他の面に形成された画像の向きと１８０度異なってしまい、ユーザがシート束の上端部を基準にして一枚ずつ記録紙をめくり、２頁目の画像を見た場合に、他の画像の向きと上下逆さまとなり、見づらくなってしまうという不具合を生じる。
【０２４９】
本実施形態では、このような不具合が生じることを防止する為に、ドライバから出力される各頁毎の回転指定のうち、所定の頁に関する回転指定（ここでは、２頁目の画像に対する０度の回転指定）には従わず、その他の頁に関する回転指定には従うようＣＰＵ８０９により制御する。
【０２５０】
例えば、この場合、図１３（ｂ）に示したようにドライバから記録紙Ａの第２面に形成すべき２頁目の画像の回転指定として、０度回転させる指示がプリンタ側に出力されたが、プリンタ側では、該頁に対応するドライバからの回転指定には従わずに、ドライバからの回転指定には基づかない独自の回転処理として、２頁目の画像を１８０度回転させる処理を行い、記録紙Ａの第２面に画像形成するよう制御する。
【０２５１】
一方、１頁目，３頁目，４頁目の画像の回転指定には従い、１頁目，３頁目，４頁目の各頁毎に対応する回転指定に基づいて、それぞれ画像の回転処理を行うよう制御する。
【０２５２】
即ち、ＣＰＵ８０９は、綴じ方向を整合させる処理として、記録紙Ａの長辺と記録紙Ｂの短辺が重なり合うよう各記録紙の向きが揃えられることを予想して、ドライバから出力された所定の頁に関する回転指定データを無視して、プリンタ側で新たに回転指定データを設定し直し、該回転指定データに応じて独自の画像の回転処理を行う。
【０２５３】
なお、予想するにあたりＣＰＵ８０９は、該文書の原稿サイズや画像の向き、記録紙のサイズ、画像形成すべき記録紙の長辺方向及び短辺方向の長さ等に関するデータを取得し、予めメモリに記憶されたテーブルを参照して、１つの束としてまとめられた際のシート束の綴じ方向を判断し（この場合、上端部）、また、その際の各シートの綴じ方向を調べ（例えば、この場合、記録紙Ａの綴じ方向はドライバの設定と異なる長辺方向であると判断し、記録紙Ｂの綴じ方向はドライバの設定と同じ短辺方向であると判断し）、これらを基に、ドライバから出力された所定の頁に関する回転指定データを無視して（所定の頁に関する回転指定には従わず、）、プリンタ側で新たに回転指定データを設定し直し、該回転指定データに応じて画像の回転処理を行う。例えば、この場合、ドライバ側で０度と設定された２頁目の画像の回転指定をプリンタ側で１８０度と設定し直し、２頁目の画像を１８０度回転させる処理を行い、処理した２頁目の画像を記録紙Ａの第２面に形成する。
【０２５４】
以上により、図１３（ｄ）に示したように、記録紙Ａの第２面に形成された２頁目の画像の向きは、その他の面に形成された画像の向きと同一方向となるので、ユーザがシート束の上端部を基準にして一枚ずつ記録紙をめくり、２頁目の画像を見た際に、他の画像の向きと上下逆さまで、見づらくなるという不具合が生じることを防止できる。
【０２５５】
以上説明したように、小サイズ頁と大サイズ頁が混在するジョブに関し、ロングエッジバインド（長辺綴じ両面モード）または、ショートエッジバインド（短辺綴じ両面モード）の何れかのモードが設定された場合は、ドライバから出力される頁毎の回転指定のうち、所定の頁に関する回転指定には従わないよう制御するので、同一の書類内に複数の用紙サイズが混在した場合でも、綴じ方向に整合した最適な両面印字出力結果を取得することが出来る。
【０２５６】
なお、上記図９〜図１３を用いて説明したように、本実施形態では、綴じ方向に整合させる為の処理をプリンタ側で行う場合について説明したが、これに限らずドライバ側で綴じ方向に整合させる為の処理を行うように構成してもよい。
【０２５７】
例えば、プリンタドライバの設定画面において（図９を参照）、ユーザにより長辺綴じ設定が行なわれた場合には、ドライバが、大サイズ頁の回転指定を小サイズ頁の綴じ方向に整合させるような指示にする。
【０２５８】
以下、図１０に示した例を用いて説明する。
【０２５９】
仮に、綴じ方向に整合させる処理をドライバが行わない場合、上述したように、記録紙Ｂの第２面に形成される４頁目の画像の回転指定として、４頁目の画像を１８０度回転させる処理を行うようプリンタ側にドライバの指示が出力される（図１０（ｂ）参照）。
【０２６０】
この場合、プリンタ側で、綴じ方向に整合させる処理を行わないと、図１０（ｃ）に示したように、記録紙Ｂの第２面に形成される４頁目の画像の向きが、その他の面に形成される画像の向きと１８０度異なってしまう。
【０２６１】
これに対し、綴じ方向に整合させる処理をドライバが行う場合は、Ａ３サイズのシートである記録紙Ｂの第２面に形成される４頁目の画像の回転指定（即ち、大サイズ頁の回転指定）を、Ａ４サイズのシートである記録紙Ａの第２面に形成される２頁目の画像の回転指定（即ち、小サイズ頁の回転指定）と同じ回転指定にするよう設定する。
【０２６２】
従って、この場合、ドライバは、４頁目の画像の回転指定を、２頁目の画像の回転指定と同じ０度に設定し、該回転指定をドライバの指示として、プリンタに出力する。
【０２６３】
即ち、ドライバは綴じ方向に整合させる処理として、サイズが異なる複数のシートが１つの束としてまとめられる場合に、大サイズのシートの短辺と小サイズのシートの長辺が重なり合うよう各シートの向きが揃えられることを予想した回転指定データを画像データ毎にそれぞれ設定する。
【０２６４】
なお、サイズが異なる複数のシートが１つの束としてまとめられる場合に、大サイズのシートの短辺と小サイズのシートの長辺が重なり合うよう前記各シートの向きが揃えられることを予想するにあたりドライバは、上述のプリンタ側で行う場合と同様な方法で予想するものとする。
【０２６５】
一方、このように、ドライバ側で既に綴じ方向に整合させる処理が行なわれた場合、プリンタ側では、ドライバの指示通りに画像の回転処理を行い、画像形成すればよい。
【０２６６】
これにより、記録紙Ｂの第２面に形成された４頁の画像の向きは、その他の面に形成された画像の向きと同一方向となるので、同一の書類内に複数の用紙サイズが混在した場合でも、綴じ方向に整合した最適な両面印字結果を出力することができる（図１０（ｄ）参照）。
【０２６７】
従って、例えば、ユーザがシート束の左端部を基準にして一枚ずつ記録紙をめくり、４頁目の画像を見た際に、他の画像の向きと上下逆さまで、見づらくなるという不具合が生じることを防止できる。
【０２６８】
また、例えばプリンタドライバの設定画面において、ユーザにより短辺綴じ設定が行なわれた場合、ドライバは、綴じ方向に整合させる処理として、小サイズ頁の回転指定を大サイズ頁の綴じ位置に整合させた指示にするよう処理する。
【０２６９】
以下、図１３に示した例を用いて説明する。
【０２７０】
仮に、綴じ方向に整合させる処理をドライバが行わずに、各頁毎に対応する回転指定データを設定した場合、上述したように、１頁目，２頁目，３頁目，４頁目の画像の回転指定は、それぞれ０度，０度，０度，１８０度と設定され、これら各頁毎の回転指定がドライバの指示としてプリンタ側に出力される（図１３（ｂ）参照）。
【０２７１】
この場合、プリンタ側で、綴じ方向に整合させる処理を行わないと、図１３（ｃ）に示したように、記録紙Ａの第２面に形成される２頁目の画像の向きが、その他の面に形成される画像の向きと１８０度異なってしまう。
【０２７２】
これに対し、綴じ方向に整合させる処理をドライバが行う場合は、Ａ４サイズシートである記録紙Ａに形成される画像の回転指定をＡ３サイズのシートである記録紙Ｂに形成される画像の回転指定に合わせる。
【０２７３】
例えば、記録紙Ａの第２面に形成されるＰ２の画像の回転指定（即ち、小サイズ頁の回転指定）を、記録紙Ｂの第２面に形成される４頁目の画像の回転指定（即ち、大サイズ頁の回転指定）と同じ回転指定にするよう設定する。この場合、２頁目の画像の回転指定は、４頁目の画像の回転指定と同じ１８０度となる。
【０２７４】
従って、綴じ方向に整合させる処理をドライバ側で行う場合、ドライバは、１頁目，２頁目，３頁目，４頁目の画像の回転指定を、それぞれ０度，１８０度，０度，１８０度と設定し、該頁毎の回転指定をドライバの指示として、プリンタに出力する。
【０２７５】
即ち、上述したように、ドライバは綴じ方向に整合させる処理として、サイズが異なる複数のシートが１つの束としてまとめられる場合に、大サイズのシートの短辺と小サイズのシートの長辺が重なり合うよう各シートの向きが揃えられることを予想した回転指定データを画像データ毎にそれぞれ設定する。
【０２７６】
なお、この場合、プリンタ側では、ドライバの指示通りに画像の回転処理を行い、画像形成することで、記録紙Ａの第２面に形成された２頁目の画像の向きが、その他の面に形成された画像の向きと同一方向となるので、同一の書類内に複数の用紙サイズが混在した場合でも、綴じ方向に整合した最適な両面印字結果を出力することが出来る。
【０２７７】
以上説明したように、ドライバ側において、綴じ方向に整合させる為の処理を行うことで、プリンタ側で綴じ方向に整合させる為の処理を行う必要が無くなるので、プリンタが行うべき処理を少なくすることが出来る。
【０２７８】
従って、処理効率を向上させると共に該装置に対する負荷を軽減させることが出来る。
【０２７９】
また、ＰＣ／ＷＳ７Ａにおいて、複数の用紙サイズが混在する文書に対して、何れかのモード（長辺綴じ両面モードまたは短辺綴じ両面モード）がユーザにより設定されたとしても、プリンタ側またはドライバ側において、綴じ方向に整合させる為の処理として、サイズが異なる複数のシートが１つの束としてまとめられる場合に、大サイズのシートの短辺と小サイズのシートの長辺が重なり合うよう各シートの向きが揃えられることを予想した回転指定データを画像データ毎にそれぞれ自動的に設定し、その旨をＰＣ／ＷＳ７Ａの設定画面上に表示するように構成してもよい。
【０２８０】
また、更に、図９（ｃ）に示したプリンタドライバの設定画面のように、綴じ設定を行うためのボタンが複数あるような場合、綴じ設定を行うための何れか１個のボタンのみを選択可能とし、それ以外のボタンは選択できないよう、薄く表示したり、網掛け表示するように構成してもよい。
【０２８１】
これにより、ユーザが行うべき操作を少なくすると共に、ユーザによる誤操作を防止することが出来る。
【０２８２】
なお、本発明は、電子写真方式の画像形成装置でも、インクジェット、昇華式でもその他の方式の画像形成装置でも適用可能である。
【０２８３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読み出して実行することによっても、本発明の目的が達成されることは言うまでもない。
【０２８４】
この場合、記憶媒体から読み出されたプログラムコード自体が本発明の新規な機能を実現することになり、そのプログラムコードを記憶した記憶媒体は本発明を構成することになる。
【０２８５】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【０２８６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２８７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２８８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０２８９】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０２９０】
以上説明したように、本実施形態によれば、同一の書類内に複数の用紙サイズが混在した場合でも、綴じ方向に整合した画像方向で両面印字処理を行うことを可能とする。また、綴じ方向に整合した状態でステイプル処理することが可能となる。
【０２９１】
また、同一の書類内に縦向き搬送される第１の記録シートと該第１の記録シートの長辺を短辺とするサイズで横向き搬送される第２の記録シート指定が混在した場合でも、第２の記録シートの画像形成方向を変更して第１の記録シートの綴じ方向と整合させることが可能となる。また、第１の記録シートの画像形成方向を変更して第２の記録シートの綴じ方向と整合させることも可能となる。
【０２９２】
さらに、同一の書類内に複数の用紙サイズが混在した場合、綴じ方向と異なる方向に回転処理された画像の出力を防止することができる。
【０２９３】
また、同一の書類内に複数の用紙サイズが混在した場合に、プリンタドライバにより綴じ方向と１８０度異なる方向への回転指示がなされた場合でも、綴じ方向への回転処理を実行して、綴じ方向に整合した最適な両面印字出力結果を取得することができる。
【０２９４】
従って、同一の書類内に複数の用紙サイズが混在した場合でも、綴じ方向に整合した最適な両面印字出力結果を取得することができる等の効果を奏する。
【図面の簡単な説明】
【０２９５】
【図１】本発明の一実施形態を示す画像形成装置の構成を説明するブロック図である。
【図２】図１に示した画像形成装置のリーダ部およびプリンタ部の構成を説明する断面図である。
【図３】図１に示した画像形成装置のリーダ部の信号処理構成を説明するブロック図である。
【図４】図１に示した画像形成装置のコア部の構成および動作について説明するブロック図である。
【図５】図１に示した画像形成装置のコンピュータインタフェース部の構成を説明するブロック図である。
【図６】図１に示した画像形成装置のフォーマッタ部の構成を説明するブロック図である。
【図７】本発明に係る画像形成装置の第１の印刷制御手順を説明するフローチャートである。
【図８】図７に示した画像印刷制御手順による印刷結果を示す模式図である。
【図９】小サイズ頁と大サイズ頁が混在するジョブに関して、両面印刷かつ綴じ辺の印刷指示画面の一例を示す模式図である。
【図１０】各種モードが選択（指定）された場合の処理を説明する模式図である。
【図１１】各種モードが選択（指定）された場合の処理を説明する模式図である。
【図１２】各種モードが選択（指定）された場合の処理を説明する模式図である。
【図１３】各種モードが選択（指定）された場合の処理を説明する模式図である。
【図１４】各両面モードと画像形成方向との関係を示す模式図である。
【図１５】用紙の方向と用紙に描画される画像方向との関係を示す模式図である。
【図１６】用紙の方向と用紙の搬送方向との関係を示す模式図である。
【図１７】Ａ４サイズ長辺フィード用紙のポートレート描画１〜４ページの出力結果を示す模式図である。
【図１８】Ａ３サイズ短辺フィード用紙のランドスケープ描画５〜８ページの出力結果を示す模式図である。
【図１９】図１７に示したＡ４サイズ長辺フィード用紙のポートレート描画１〜４ページの出力結果と図１８に示したＡ３サイズ短辺フィード用紙のランドスケープ描画５〜８ページの出力結果とを束ねた状態を示す模式図である。
【符号の説明】
【０２９６】
１  リーダ部
２  プリンタ部
３  外部装置
４  ファクシミリ部
４Ａ  ハードディスク
５  ファイル部
６  外部記憶装置
７  コンピュータインタフェース部
７Ａ  パーソナルコンピュータ／ワークステーション（ＰＣ／ＷＳ）
８  フォーマッタ部
９  イメージメモリ部
１０  コア部
【図１】
2006209141.tif 000003
【図２】
2006209141.tif 000004
【図３】
2006209141.tif 000005
【図４】
2006209141.tif 000006
【図５】
2006209141.tif 000007
【図６】
2006209141.tif 000008
【図７】
2006209141.tif 000009
【図８】
2006209141.tif 000010
【図９】
2006209141.tif 000011
【図１０】
2006209141.tif 000012
【図１１】
2006209141.tif 000013
【図１２】
2006209141.tif 000014
【図１３】
2006209141.tif 000015
【図１４】
2006209141.tif 000016
【図１５】
2006209141.tif 000017
【図１６】
2006209141.tif 000018
【図１７】
2006209141.tif 000019
【図１８】
2006209141.tif 000020
【図１９】
2006209141.tif 000021
【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
画像形成されたシートに対するステイプル動作を実行可能なステイプル手段によりステイプルすべきシートを供給可能であり、且つ、ポートレート形式の２つの画像を小サイズのシートの表裏に同じ向きで形成可能であり、且つ、ランドスケープ形式の２つの画像を大サイズのシートの表裏に逆向きで形成可能な画像形成装置を具備する画像形成システムの制御方法であって、
前記ポートレート形式の２つの画像が両面形成される小サイズのシートと前記ランドスケープ形式の２つの画像が両面形成される大サイズのシートからなるサイズの異なるシートが混在するシート束のためのステイプル動作を実行させる場合に、
前記ポートレート形式の２つの画像を前記小サイズのシートの表裏に同じ向きで形成させ、且つ、前記ランドスケープ形式の２つの画像を前記大サイズのシートの表裏に逆向きで形成させずに同じ向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする制御方法。
【請求項２】
画像形成されたシートに対するステイプル動作を実行可能なステイプル手段によりステイプルすべきシートを供給可能であり、且つ、ランドスケープ形式の２つの画像を小サイズのシートの表裏に逆向きで形成可能であり、且つ、ポートレート形式の２つの画像を大サイズのシートの表裏に同じ向きで形成可能な画像形成装置を具備する画像形成システムの制御方法であって、
前記ランドスケープ形式の２つの画像が両面形成される小サイズのシートと前記ポートレート形式の２つの画像が両面形成される大サイズのシートからなるサイズの異なるシートが混在するシート束のためのステイプル動作を実行させる場合に、
前記ランドスケープ形式の２つの画像を前記小サイズのシートの表裏に逆向きで形成させ、且つ、前記ポートレート形式の２つの画像を前記大サイズのシートの表裏に同じ向きで形成させずに逆向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする制御方法。
【請求項３】
画像形成されたシートに対するステイプル動作を実行可能なステイプル手段によりステイプルすべきシートを供給可能であり、且つ、ポートレート形式の２つの画像を小サイズのシートの表裏に逆向きで形成可能であり、且つ、ランドスケープ形式の２つの画像を大サイズのシートの表裏に同じ向きで形成可能な画像形成装置を具備する画像形成システムの制御方法であって、
前記ポートレート形式の２つの画像が両面形成される小サイズのシートと前記ランドスケープ形式の２つの画像が両面形成される大サイズのシートからなるサイズの異なるシートが混在するシート束のためのステイプル動作を実行させる場合に、
前記ポートレート形式の２つの画像を前記小サイズのシートの表裏に逆向きで形成させずに同じ向きで形成させ、且つ、前記ランドスケープ形式の２つの画像を前記大サイズのシートの表裏に同じ向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする制御方法。
【請求項４】
画像形成されたシートに対するステイプル動作を実行可能なステイプル手段によりステイプルすべきシートを供給可能であり、且つ、ランドスケープ形式の２つの画像を小サイズのシートの表裏に同じ向きで形成可能であり、且つ、ポートレート形式の２つの画像を大サイズのシートの表裏に逆向きで形成可能な画像形成装置を具備する画像形成システムの制御方法であって、
前記ランドスケープ形式の２つの画像が両面形成される小サイズのシートと前記ポートレート形式の２つの画像が両面形成される大サイズのシートからなるサイズの異なるシートが混在するシート束のためのステイプル動作を実行させる場合に、
前記ランドスケープ形式の２つの画像を前記小サイズのシートの表裏に同じ向きで形成させずに逆向きで形成させ、且つ、前記ポートレート形式の２つの画像を前記大サイズのシートの表裏に逆向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする制御方法。
【請求項５】
前記小サイズのシートと前記大サイズのシートからなる前記サイズの異なるシートが混在するシート束のためのステイプル動作を実行させる為のユーザ要求は、前記画像形成装置の印刷設定画面を表示可能なコンピュータから受け付け、前記小サイズのシートと前記大サイズのシートに両面形成すべき各画像の向きを揃える為の画像回転処理は前記画像形成装置により実行させることを特徴とする請求項1乃至４の何れかに記載の制御方法。
【請求項６】
前記小サイズのシートと前記大サイズのシートからなる前記サイズの異なるシートが混在するシート束のためのステイプル動作を実行させる為のユーザ要求は、前記画像形成装置の印刷設定画面を表示可能なコンピュータから受け付け、前記小サイズのシートと前記大サイズのシートに両面形成すべき各画像の向きを揃える為の画像回転処理も前記コンピュータにより実行させることを特徴とする請求項1乃至５の何れかに記載の制御方法。
【請求項７】
画像形成されたシートに対するステイプル動作を実行可能なステイプル手段によりステイプルすべきシートを供給可能であり、且つ、ポートレート形式の２つの画像を小サイズのシートの表裏に同じ向きで形成可能であり、且つ、ランドスケープ形式の２つの画像を大サイズのシートの表裏に逆向きで形成可能な画像形成装置を具備する画像形成システムであって、
前記ポートレート形式の２つの画像が両面形成される小サイズのシートと前記ランドスケープ形式の２つの画像が両面形成される大サイズのシートからなるサイズの異なるシートが混在するシート束のためのステイプル動作を実行させる場合に、
前記ポートレート形式の２つの画像を前記小サイズのシートの表裏に同じ向きで形成させ、且つ、前記ランドスケープ形式の２つの画像を前記大サイズのシートの表裏に逆向きで形成させずに同じ向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする画像形成システム。
【請求項８】
画像形成されたシートに対するステイプル動作を実行可能なステイプル手段によりステイプルすべきシートを供給可能であり、且つ、ランドスケープ形式の２つの画像を小サイズのシートの表裏に逆向きで形成可能であり、且つ、ポートレート形式の２つの画像を大サイズのシートの表裏に同じ向きで形成可能な画像形成装置を具備する画像形成システムであって、
前記ランドスケープ形式の２つの画像が両面形成される小サイズのシートと前記ポートレート形式の２つの画像が両面形成される大サイズのシートからなるサイズの異なるシートが混在するシート束のためのステイプル動作を実行させる場合に、
前記ランドスケープ形式の２つの画像を前記小サイズのシートの表裏に逆向きで形成させ、且つ、前記ポートレート形式の２つの画像を前記大サイズのシートの表裏に同じ向きで形成させずに逆向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする画像形成システム。
【請求項９】
画像形成されたシートに対するステイプル動作を実行可能なステイプル手段によりステイプルすべきシートを供給可能であり、且つ、ポートレート形式の２つの画像を小サイズのシートの表裏に逆向きで形成可能であり、且つ、ランドスケープ形式の２つの画像を大サイズのシートの表裏に同じ向きで形成可能な画像形成装置を具備する画像形成システムであって、
前記ポートレート形式の２つの画像が両面形成される小サイズのシートと前記ランドスケープ形式の２つの画像が両面形成される大サイズのシートからなるサイズの異なるシートが混在するシート束のためのステイプル動作を実行させる場合に、
前記ポートレート形式の２つの画像を前記小サイズのシートの表裏に逆向きで形成させずに同じ向きで形成させ、且つ、前記ランドスケープ形式の２つの画像を前記大サイズのシートの表裏に同じ向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする画像形成システム。
【請求項１０】
画像形成されたシートに対するステイプル動作を実行可能なステイプル手段によりステイプルすべきシートを供給可能であり、且つ、ランドスケープ形式の２つの画像を小サイズのシートの表裏に同じ向きで形成可能であり、且つ、ポートレート形式の２つの画像を大サイズのシートの表裏に逆向きで形成可能な画像形成装置を具備する画像形成システムであって、
前記ランドスケープ形式の２つの画像が両面形成される小サイズのシートと前記ポートレート形式の２つの画像が両面形成される大サイズのシートからなるサイズの異なるシートが混在するシート束のためのステイプル動作を実行させる場合に、
前記ランドスケープ形式の２つの画像を前記小サイズのシートの表裏に同じ向きで形成させずに逆向きで形成させ、且つ、前記ポートレート形式の２つの画像を前記大サイズのシートの表裏に逆向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする画像形成システム。
【請求項１１】
前記小サイズのシートと前記大サイズのシートからなる前記サイズの異なるシートが混在するシート束のためのステイプル動作を実行させる為のユーザ要求は、前記画像形成装置の印刷設定画面を表示可能なコンピュータから受け付け、前記小サイズのシートと前記大サイズのシートに両面形成すべき各画像の向きを揃える為の画像回転処理は前記画像形成装置により実行させることを特徴とする請求項７乃至１０の何れかに記載の画像形成システム。
【請求項１２】
前記小サイズのシートと前記大サイズのシートからなる前記サイズの異なるシートが混在するシート束のためのステイプル動作を実行させる為のユーザ要求は、前記画像形成装置の印刷設定画面を表示可能なコンピュータから受け付け、前記小サイズのシートと前記大サイズのシートに両面形成すべき各画像の向きを揃える為の画像回転処理も前記コンピュータにより実行させることを特徴とする請求項７乃至１１の何れかに記載の画像形成システム。
【請求項１３】
前記請求項１乃至６のいずれかに記載の制御方法を実行させるための制御手段を具備することを特徴とする画像形成装置。
【請求項１４】
前記請求項１乃至６のいずれかに記載の制御方法をコンピュータにより実行させるためのプログラムを記録したコンピュータ読み出し可能な記録媒体。
【手続補正３】
【補正対象書類名】明細書
【補正対象項目名】０００１
【補正方法】変更
【補正の内容】
【０００１】
本発明は、画像情報に対して両面印字を指定して、搬送される記録媒体に両面画像形成を行う画像形成方法および画像形成システムおよび画像形成装置および記録媒体に関するものである。
【手続補正４】
【補正対象書類名】明細書
【補正対象項目名】００２１
【補正方法】変更
【補正の内容】
【００２１】
本発明は、画像形成されたシートに対するステイプル動作を実行可能なステイプル手段によりステイプルすべきシートを供給可能であり、且つ、ポートレート形式の２つの画像を小サイズのシートの表裏に同じ向きで形成可能であり、且つ、ランドスケープ形式の２つの画像を大サイズのシートの表裏に逆向きで形成可能な画像形成装置を具備する画像形成システムの制御方法であって、前記ポートレート形式の２つの画像が両面形成される小サイズのシートと前記ランドスケープ形式の２つの画像が両面形成される大サイズのシートからなるサイズの異なるシートが混在するシート束のためのステイプル動作を実行させる場合に、前記ポートレート形式の２つの画像を前記小サイズのシートの表裏に同じ向きで形成させ、且つ、前記ランドスケープ形式の２つの画像を前記大サイズのシートの表裏に逆向きで形成させずに同じ向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする。
【手続補正５】
【補正対象書類名】明細書
【補正対象項目名】００２２
【補正方法】変更
【補正の内容】
【００２２】
また、本発明は、画像形成されたシートに対するステイプル動作を実行可能なステイプル手段によりステイプルすべきシートを供給可能であり、且つ、ランドスケープ形式の２つの画像を小サイズのシートの表裏に逆向きで形成可能であり、且つ、ポートレート形式の２つの画像を大サイズのシートの表裏に同じ向きで形成可能な画像形成装置を具備する画像形成システムの制御方法であって、前記ランドスケープ形式の２つの画像が両面形成される小サイズのシートと前記ポートレート形式の２つの画像が両面形成される大サイズのシートからなるサイズの異なるシートが混在するシート束のためのステイプル動作を実行させる場合に、前記ランドスケープ形式の２つの画像を前記小サイズのシートの表裏に逆向きで形成させ、且つ、前記ポートレート形式の２つの画像を前記大サイズのシートの表裏に同じ向きで形成させずに逆向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする。
【手続補正６】
【補正対象書類名】明細書
【補正対象項目名】００２３
【補正方法】変更
【補正の内容】
【００２３】
また、本発明は、画像形成されたシートに対するステイプル動作を実行可能なステイプル手段によりステイプルすべきシートを供給可能であり、且つ、ポートレート形式の２つの画像を小サイズのシートの表裏に逆向きで形成可能であり、且つ、ランドスケープ形式の２つの画像を大サイズのシートの表裏に同じ向きで形成可能な画像形成装置を具備する画像形成システムの制御方法であって、前記ポートレート形式の２つの画像が両面形成される小サイズのシートと前記ランドスケープ形式の２つの画像が両面形成される大サイズのシートからなるサイズの異なるシートが混在するシート束のためのステイプル動作を実行させる場合に、前記ポートレート形式の２つの画像を前記小サイズのシートの表裏に逆向きで形成させずに同じ向きで形成させ、且つ、前記ランドスケープ形式の２つの画像を前記大サイズのシートの表裏に同じ向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする。
【手続補正７】
【補正対象書類名】明細書
【補正対象項目名】００２４
【補正方法】変更
【補正の内容】
【００２４】
また、本発明は、画像形成されたシートに対するステイプル動作を実行可能なステイプル手段によりステイプルすべきシートを供給可能であり、且つ、ランドスケープ形式の２つの画像を小サイズのシートの表裏に同じ向きで形成可能であり、且つ、ポートレート形式の２つの画像を大サイズのシートの表裏に逆向きで形成可能な画像形成装置を具備する画像形成システムの制御方法であって、前記ランドスケープ形式の２つの画像が両面形成される小サイズのシートと前記ポートレート形式の２つの画像が両面形成される大サイズのシートからなるサイズの異なるシートが混在するシート束のためのステイプル動作を実行させる場合に、前記ランドスケープ形式の２つの画像を前記小サイズのシートの表裏に同じ向きで形成させずに逆向きで形成させ、且つ、前記ポートレート形式の２つの画像を前記大サイズのシートの表裏に逆向きで形成させたうえで、当該小サイズのシートと当該大サイズのシートを１つのシート束とするステイプル動作として、当該小サイズのシートの長辺と当該大サイズのシートの短辺とが一致する辺を綴じ位置としたステイプル動作を前記ステイプル手段により実行させることを特徴とする。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００３２
【補正方法】削除
【補正の内容】
【手続補正１６】
【補正対象書類名】明細書
【補正対象項目名】００３３
【補正方法】削除
【補正の内容】
【手続補正１７】
【補正対象書類名】明細書
【補正対象項目名】００３４
【補正方法】削除
【補正の内容】
【手続補正１８】
【補正対象書類名】明細書
【補正対象項目名】００３５
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】変更
【補正の内容】
【００３９】
本発明によれば、複数の用紙サイズが混在したジョブを画像形成装置が受け付けた場合でも、ステイプルなどの後処理が適正に施された出力結果を得ることができる。
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】削除
【補正の内容】
【手続補正２６】
【補正対象書類名】明細書
【補正対象項目名】００４３
【補正方法】削除
【補正の内容】
【手続補正２７】
【補正対象書類名】明細書
【補正対象項目名】００４４
【補正方法】削除
【補正の内容】
【手続補正２８】
【補正対象書類名】明細書
【補正対象項目名】００４５
【補正方法】削除
【補正の内容】
【手続補正２９】
【補正対象書類名】明細書
【補正対象項目名】００４６
【補正方法】削除
【補正の内容】
【手続補正３０】
【補正対象書類名】明細書
【補正対象項目名】００４７
【補正方法】削除
【補正の内容】
【手続補正３１】
【補正対象書類名】明細書
【補正対象項目名】００４８
【補正方法】削除
【補正の内容】
【手続補正３２】
【補正対象書類名】図面
【補正対象項目名】図７
【補正方法】変更
【補正の内容】
【図７】
2006209141.tif 000022